(57)【要約】【課題】血中グルコースシステムの構成要素間の無線データ送信のための方法および対応する血中グルコースシステムを提供する。【解決手段】血中グルコースシステム１、１’は、受信器１０および送信器９を有するマスター制御器２、２’と、受信器１９および送信器１８を有する少なくとも１つのスレーブ装置３とを含む。スレーブ装置３は、通常、スレーブ装置の受信器１９が所定のリスニング期間の間受信器作動化頻度で間欠的にのみ作動化される省電力モードで動作される。制御器２、２’は、プリアンブル期間の間送信されるプリアンブル信号を備える信号によって、スレーブ装置３に通信開始データフレームを送信する。通信開始データフレームを受信すると、スレーブ装置３は、スレーブ装置が制御器２、２’に応答を送信する通信モードに切り替えられ、スレーブ装置３は通信モードから省電力モードに切り替えられる。【選択図】図３ｂ
2009534059.tif 000002
【特許請求の範囲】
【請求項１】
血中グルコースシステム（１、１’）の構成要素間の無線データ送信のための方法であって、前記血中グルコースシステム（１、１’）は、受信器（１０）および送信器（９）を有するマスター制御器（２、２’）と、インスリン投与手段（２０）を備えかつ受信器（１９）および送信器（１８）を有するスレーブ装置（３）と、を含む、方法において、
前記スレーブ装置（３）を省電力モードで動作させるステップであって、この省電力モードでは、通常、前記スレーブ装置の受信器（１９）が受信器作動化頻度で間欠的に作動化され、このとき、前記受信器（１９）が毎回所定のリスニング期間の間作動化され、前記受信器（１９）が残りの時間の間非作動化される、ステップと、
前記制御器（２、２’）の前記送信器（９）を送信期間の間作動化させて、プリアンブル信号がプリアンブル期間の間送信されるように選択されたプリアンブル部（３０１）を含む通信開始データフレームを送信し、その後、前記制御器（２、２’）の前記受信器（１０）を応答期間の間作動化させるステップと、
前記スレーブ装置（３）がリスニング期間中に前記プリアンブル信号を受信した場合には、
ａ）前記スレーブ装置（３）の前記受信器（１９）を、前記通信開始データフレームの残余の少なくとも一部が受信されるまで作動状態に維持するステップと、
ｂ）前記スレーブ装置（３）を、前記スレーブ装置（３）の前記送信器（１８）が作動化されて前記制御器（２、２’）に応答を送信する通信モードに切り替えるステップと、
ｃ）前記スレーブ装置（３）を、前記通信モードから前記省電力モードに切り替えるステップと、
を含み、
前記方法はさらに、
通信モードから省電力モードに切り替える際に、最初は前記受信器作動化頻度を第１の頻度値に設定し、所定の省電力タイムアウト期間の間何らの通信開始データフレームも受信されなければ、前記受信器作動化頻度を前記第１の頻度値よりも小さい第２の頻度値に設定するステップであって、
前記通信開始データフレームは、前記プリアンブル期間が前記第１の頻度値に対応するサイクル持続時間の長さを超えるように送信され、
前記応答期間中に前記制御器によって何らの応答も受信されない場合には、前記通信開始データフレームが、前記プリアンブル期間が増加され前記第２の頻度値に対応するサイクル持続時間の長さを超えるように適応され、再送信される、
ステップ、
を含む、方法。
【請求項２】
請求項１に記載の方法において、
前記血中グルコースシステム（１、１’）は、少なくとも１つのさらなるスレーブ装置（４）を含み、前記スレーブ装置の少なくとも１つは血中グルコース検出手段（２０）を備えており、
すべてのスレーブ装置（３、４）が、インスリン投与手段（２０）を備える前記スレーブ装置（３）と同じステップを実行し、
前記方法は、
各々の通信開始データフレームを特定のスレーブ装置（３、４）にアドレス指定するために、前記制御器（２、２’）によって送信される通信開始データフレームに対象スレーブ装置（３、４）の指示を含めるステップと、
スレーブ装置（３、４）がリスニング期間中に通信開始データフレームに対応する前記プリアンブル信号を受信した場合には、
ａ）前記スレーブ装置（３、４）の前記受信器（１９）を、少なくとも前記対象装置指示が受信されるまで作動状態に維持するステップと、
ｂ）前記スレーブ装置（３、４）が前記対象スレーブ装置であれば、前記スレーブ装置の前記受信器（１９）を前記通信開始データフレームの残余が受信されるまで作動状態に維持するか、または、前記スレーブ装置（３、４）が前記対象スレーブ装置でない場合には、前記スレーブ装置（３、４）を前記省電力モードに維持し、前記スレーブ装置（３、４）の前記作動化頻度を前記第２の頻度値よりも大きい第３の頻度値に設定し、その後、所定のタイムアウト期間の間何らの通信開始データフレームも受信されなければ、前記作動化頻度を前記第２の頻度値に設定するステップと、
をさらに含む、方法。
【請求項３】
請求項２に記載の方法において、
前記第３の頻度値は前記第１の頻度値と同一である、方法。
【請求項４】
請求項１〜３のいずれかに記載の方法において、
前記制御器（２、２’）は、通信開始データフレームのみを送信する、方法。
【請求項５】
請求項１〜３のいずれかに記載の方法において、
通信開始データフレームの送信の後で、前記制御器（２、２’）の前記送信器（９）を少なくとも１つのさらなる送信期間の間作動化させて、前記プリアンブル信号がプリアンブル期間の間送信されるように選択されたプリアンブル部（３０１）を含む少なくとも１つのさらなるデータフレームを送信し、また、各々の前記少なくとも１つのさらなるデータフレームの送信の後で、前記制御器（２、２’）の前記受信器（１０）を応答期間の間作動化させるステップであって、前記制御器によって送信されるすべてのデータフレーム（３００）が、命令が含まれる命令部（３０４）を含む、ステップと、
任意の通信開始データフレームの前記命令部（３０４）に通信開始命令を含めて、このデータフレーム（３００）が通信開始データフレームであることを指示するステップと、
スレーブ装置（３、４）が、前記スレーブ装置が前記省電力モードにある間のリスニング期間中に前記プリアンブル信号を受信した場合には、
ａ）前記スレーブ装置（３、４）の前記受信器（１９）を、少なくとも前記データフレーム（３００）の前記命令部（３０４）に含まれた前記命令が受信されるまで、作動状態に維持するステップと、
ｂ）前記命令が前記通信開始命令でなければ、前記スレーブ装置（３、４）を前記省電力モードに維持するステップと、
スレーブ装置（３、４）が、前記スレーブ装置が前記通信モードにある間に前記プリアンブル信号を受信した場合には、
ａ）前記スレーブ装置（３、４）の前記受信器（１９）を、少なくとも前記データフレーム（３００）の前記命令部（３０４）に含まれた前記命令が受信されるまで、作動状態に維持するステップと、
ｂ）前記命令が前記通信開始命令でなく、かつ前記スレーブ装置（３、４）が前記データフレーム（３００）の前記意図された受取り器であれば、前記スレーブ装置（３、４）の前記受信器（１９）を、前記データフレーム（３００）の残余が受信されるまで作動状態に維持し、前記スレーブ装置（３、４）の前記送信器（１８）を作動化および非作動化して、前記制御器（２、２’）に応答を送信するステップと、
をさらに含む、方法。
【請求項６】
請求項１〜５のいずれかに記載の方法において、
前記通信モードは、所定の通信タイムアウト期間の間それぞれのスレーブ装置（３、４）向けの何らのデータフレーム（３００）も受信されなければ、終了され、
通信モードにおいて、前記スレーブ装置の送信器（１８）が応答を送信するために作動化されていないときはいつも、それぞれの前記スレーブ装置（３、４）の前記受信器（１９）が作動状態に維持される、方法。
【請求項７】
請求項６に記載の方法において、
特定のスレーブ装置（３、４）に最後のデータフレーム（３００）を送信した時からの時間を前記制御器（２、２’）にて追跡するステップと、
同じスレーブ装置（３、４）にデータフレーム（３００）を送信する前に、追跡された時間と前記所定の通信タイムアウト期間との比較に基づいて、このスレーブ装置（３、４）が依然として通信モードにあると予想されるかどうかを前記制御器（２、２’）にて決定するステップと、
前記スレーブ装置（３、４）が依然として通信モードにあると予想されると決定されれば、前記プリアンブル期間が前記第１の頻度値および前記第２の頻度値に対応するサイクル持続時間よりも短い期間にまたがるように、前記データフレーム（３００）を最初に送信するステップと、
をさらに含む、方法。
【請求項８】
請求項６または７に記載の方法において、
特定の第１のデータフレームに対してスレーブ装置（３、４）によって送信される応答に遅延期間指示を含めて、実際の応答が後で送られることを指示するステップと、
前記スレーブ装置（３、４）および前記制御器（２、２’）の両方の前記送信器（１８、９）および前記受信器（１９、１０）を前記指示された遅延期間の間非作動化させるステップと、
前記遅延期間が終わった後に前記制御器（２、２’）の前記送信器（９）を作動化させて、前記第１のデータフレームに対する前記応答を要求する第２のデータフレームを送信するステップと、
前記遅延期間が終わった後に前記スレーブ装置（３、４）の前記受信器（１９）を作動化させて、前記第２のデータフレームの受信を待つステップと、
その後、前記スレーブ装置（３、４）の前記送信器（１８）を作動化させて、前記制御器（２、２’）に前記要求された応答を送信するステップと、
をさらに含む、方法。
【請求項９】
請求項１〜８のいずれかに記載の方法において、
終了命令を含むデータフレームが、前記制御器（２、２’）によって通信モードにあるスレーブ装置（３、４）に送信され、前記スレーブ装置（３、４）の前記通信モードが、このデータフレームを受信すると終了される、方法。
【請求項１０】
請求項１〜９のいずれかに記載の方法において、
前記制御器（２、２’）による少なくとも１つの通信開始データフレームの前記送信は、ユーザの要求によって開始される、方法。
【請求項１１】
請求項１〜１０のいずれかに記載の方法において、
前記制御器（２、２’）において周期的にタイマーイベントを発生させるステップと、
タイマーイベントの発生のたびに前記制御器（２、２’）によって通信開始データフレームを送信するステップと、
をさらに含む、方法。
【請求項１２】
請求項１１に記載の方法において、
前記第２の頻度値を有するように、または前記第２の頻度値が前記タイマーイベント頻度の整数倍となるように、前記タイマーイベントが発生する頻度を選択するステップと、
タイマーイベントによって開始される各々の通信開始データフレームに時間リファレンスを含めるステップと、
スレーブ装置（３、４）にて受信すると前記時間リファレンスを検査するステップと、
前記時間リファレンスによって、前記リスニング期間のスタート時間を前記タイマーイベントと同期させるステップと、
をさらに含む、方法。
【請求項１３】
血中グルコースシステム（１、１’）において、
受信器（１０）、送信器（９）、および制御手段（１２）を有するマスター制御器（２、２’）であって、前記制御手段（１２）は、プリアンブル信号がプリアンブル期間の間送信されるようにプリアンブル部（３０１）を含む通信開始データフレームを送信するために、前記送信器（９）を送信期間の間作動化させて、その後、前記受信器（１０）を応答期間の間作動化させるように、動作可能である、マスター制御器（２、２’）と、
インスリン投与手段（２０）を備え、かつ受信器（１９）、送信器（１８）、および制御手段（２１）を有するスレーブ装置（３）であって、前記スレーブ装置（３）は、インスリンが前記スレーブ装置（３）から患者の身体に送出されることができるように患者の身体に着用され、または患者の身体の皮下に埋め込まれるように構成されている、スレーブ装置（３）と、
を備えており、
前記スレーブ装置（３）の前記制御手段（２１）は、通常、前記制御手段（２１）が前記受信器（１９）を受信器作動化頻度で間欠的に作動化させ、このとき、前記受信器（１９）が毎回所定のリスニング期間の間作動化され、前記受信器（１９）が残りの時間の間非作動化されるようになる、省電力モードにおいて、前記スレーブ装置（３）を動作させるように構成されており、
前記スレーブ装置（３）の前記制御手段（２１）は、さらに、前記スレーブ装置（３）の前記受信器（１９）がリスニング期間中に前記プリアンブル信号を受信したかどうかを決定して、前記プリアンブル信号を受信した場合には、
ａ）前記スレーブ装置（３）の前記受信器（１９）を、前記通信開始データフレームの残余の少なくとも一部が受信されるまで作動状態に維持し、
ｂ）前記スレーブ装置（３）を、前記制御手段（２１）が前記スレーブ装置（３）の前記送信器（１８）を作動化させて前記制御器（２、２’）に応答を送信する通信モードに切り替え、
ｃ）その後、前記スレーブ装置（３）を前記通信モードから前記省電力モードに切り替える
ように構成されており、
前記スレーブ装置（３）の前記制御手段（２１）は、前記スレーブ装置（３）を通信モードから省電力モードに切り替える際に、最初は前記作動化頻度を第１の頻度値に設定し、前記受信器（１９）が所定の省電力タイムアウト期間の間通信開始データフレームを受信しなければ、前記作動化頻度を前記第１の頻度値よりも小さい第２の頻度値に設定するように構成されており、
前記制御器（２、２’）の前記制御手段（１２）は、前記通信開始データフレームの送信を、前記プリアンブル期間が前記第１の頻度値に対応するサイクル持続時間の長さを超えるように行い、前記応答期間中に何らの応答も受信されない場合には、前記通信開始データフレームを、前記プリアンブル期間が増加され前記第２の頻度値に対応するサイクル持続時間の長さを超えるように適応させ、再送信するように構成されている、システム。
【請求項１４】
請求項１３に記載のシステムにおいて、
前記血中グルコースシステム（１、１’）は少なくとも１つのさらなるスレーブ装置（４）を含み、前記スレーブ装置の少なくとも１つは血中グルコース検出手段（２０）を備えており、
すべてのスレーブ装置（３、４）は、インスリン投与手段（２０）を備える前記スレーブ装置（３）の前記受信器（１９）、前記送信器（１８）、および前記制御手段（２１）とそれぞれ同様に構成された、受信器（１９）、送信器（１８）、および制御手段（２１）を備えており、
前記制御器（２、２’）の前記制御手段（１２）は、さらに、前記通信開始データフレームに対象スレーブ装置（３、４）の指示を含めるように構成され、
前記スレーブ装置の前記制御手段（２１）は、前記制御手段（２１）が、前記スレーブ装置（３、４）がリスニング期間中に前記プリアンブル信号を受信したと決定する場合には、さらに、
ａ）前記スレーブ装置（３、４）の前記受信器（１９）を、少なくとも前記受信器（１９）が前記対象装置指示を受信するまで作動状態に維持し、
ｂ）前記スレーブ装置（３、４）の前記受信器（１９）を、前記スレーブ装置（３、４）が前記対象スレーブ装置であれば、前記通信開始データフレームの残余が受信されるまで作動状態に維持するか、または、前記スレーブ装置（３、４）が前記対象スレーブ装置でない場合には、前記スレーブ装置（３、４）を前記省電力モードに維持し、前記スレーブ装置（３、４）の前記受信器作動化頻度を前記第２の頻度値よりも大きい第３の頻度値に設定し、その後、前記受信器（１９）が所定のタイムアウト期間の間通信開始データフレームを受信しなければ、前記受信器作動化頻度を前記第２の頻度値に設定する
ように構成されている、システム。
【請求項１５】
請求項１３または１４に記載のシステムにおいて、
前記制御器（２、２’）の前記制御手段（１２）は、さらに、通信開始データフレームの送信の後で、前記制御器（２、２’）の前記送信器（９）を少なくとも１つのさらなる送信期間の間作動化させて、前記プリアンブル信号がプリアンブル期間の間送信されるようにプリアンブル部（３０１）を含む少なくとも１つのさらなるデータフレームを送信させ、また、各々の前記少なくとも１つのさらなるデータフレームの送信の後で、前記制御器（２、２’）の前記受信器（１０）を応答期間の間作動化させるように動作可能であり、前記制御器（２、２’）によって送信されるすべてのデータフレーム（３００）が、命令が含まれる命令部（３０４）を含み、
前記制御器（２、２’）の前記制御手段（１２）は、さらに、任意の通信開始データフレームの前記命令部（３０４）に通信開始命令を含めて、このデータフレーム（３００）が通信開始データフレームであることを指示するように構成されており、
前記スレーブ装置（３、４）の前記制御手段（２１）は、さらに、前記スレーブ装置（３、４）の前記受信器（１９）が、前記スレーブ装置が前記省電力モードにある間のリスニング期間中に前記プリアンブル信号を受信したかどうかを決定し、この決定が肯定的である場合には、
ａ）前記スレーブ装置（３、４）の前記受信器（１９）を、少なくとも前記データフレーム（３００）の前記命令部（３０４）に含まれた前記命令が受信されるまで作動状態に維持し、
ｂ）前記命令が前記通信開始命令でなければ、前記スレーブ装置（３、４）を前記省電力モードに維持する
ように構成されており、
前記スレーブ装置（３、４）の前記制御手段（２１）は、さらに、前記スレーブ装置（３、４）の前記受信器（１９）が、前記スレーブ装置が前記通信モードにある間に前記プリアンブル信号を受信したかどうかを決定し、この決定が肯定的である場合には、
ａ）前記スレーブ装置（３、４）の前記受信器（１９）を、少なくとも前記データフレーム（３００）の前記命令部（３０４）に含まれた前記命令が受信されるまで作動状態に維持し、
ｂ）前記命令が前記通信開始命令でなく、かつ前記スレーブ装置（３、４）が前記データフレーム（３００）の前記意図された受取り器であれば、前記スレーブ装置（３、４）の前記受信器（１９）を、前記データフレーム（３００）の残余が受信されるまで作動状態に維持し、前記スレーブ装置（３、４）の前記送信器（１８）を作動化および非作動化して、前記制御器（２、２’）に応答を送信する
ように構成されている、システム。
【請求項１６】
請求項１３〜１５のいずれかに記載のシステムにおいて、
各々のスレーブ装置（３、４）の前記制御手段（２１）は、
前記受信器（１９）がそれぞれのスレーブ装置（３、４）向けのデータフレーム（３００）を所定の通信タイムアウト期間の間受信しなければ前記通信モードを終了させ、
前記制御手段が応答を送信するために前記送信器（１８）を作動化させないときはいつも、それぞれのスレーブ装置（３、４）の前記受信器（１９）を通信モードに作動状態に維持する
ように構成されている、システム。
【請求項１７】
請求項１６に記載のシステムにおいて、
前記制御器（２、２’）はタイマー（２３）をさらに含んでおり、
前記制御器（２、２’）の前記制御手段（１２）は、
特定のスレーブ装置（３、４）にデータフレーム（３００）を送信すると、前記タイマー（２３）をスタートさせ、
同じ前記スレーブ装置（３、４）にデータフレーム（３００）を送信する前に、前記タイマー（２３）の現在値と前記所定の通信タイムアウト期間との比較に基づいて、前記スレーブ装置（３、４）が依然として通信モードにあると予想されるかどうかを決定し、
前記スレーブ装置（３、４）が依然として通信モードにあると予想されると前記制御手段が決定した場合には、前記プリアンブル期間が前記第１の頻度値および前記第２の頻度値に対応するサイクル持続時間よりも短い期間にまたがるように、前記データフレーム（３００）を最初に送信する
ように構成されている、システム。
【請求項１８】
請求項１６または１７に記載のシステムにおいて、
各々のスレーブ装置（３、４）の前記制御手段（２１）は、
特定の第１のデータフレームに対して前記スレーブ装置（３、４）によって送信される応答に遅延期間指示を含めて、実際の応答が後で送信されることを指示し、
前記送信器（１８）および前記受信器（１９）を前記指示された遅延期間の間非作動化し、
前記遅延期間が終わった後に前記スレーブ装置（３、４）の前記受信器（１９）を作動化させて、前記第１のデータフレームに対する応答を要求する第２のデータフレームの受信を待たせ、
その後、前記スレーブ装置（３、４）の前記送信器（１８）を作動化させて、前記制御器（２、２’）に対して前記要求された応答を送信させる
ように構成されており、
前記制御器（２、２’）の前記制御手段（１２）は、
遅延期間指示を含む応答を受信すると、前記制御器（２、２’）の前記送信器（９）および前記受信器（１０）を前記指示された遅延期間の間非作動化させ、
前記遅延期間が終わった後に前記制御器（２、２’）の前記送信器（９）を作動化させて、前記第１のデータフレームに対する応答を要求する第２のデータフレームを送信させる
ように構成されている、システム。
【請求項１９】
請求項１３〜１８のいずれかに記載のシステムにおいて、
前記制御器（２、２’）の前記制御手段（１２）は、通信モードにあるスレーブ装置（３、４）に終了命令を含むデータフレームを送信するように動作可能であり、
各々のスレーブ装置（３、４）の前記制御手段（２１）は、このデータフレームを受信すると前記通信モードを終了させるように構成されている、システム。
【請求項２０】
請求項１３〜１９のいずれかに記載のシステムにおいて、
前記制御器（２、２’）は、ユーザによって作動される作動手段を備えており、前記作動手段の作動により、前記制御手段（１２）に通信開始データフレームを送信するように命じる信号が前記制御手段（１２）に供給される、システム。
【請求項２１】
請求項１３〜２０のいずれかに記載のシステムにおいて、
前記制御器（２、２’）は、
タイマーイベント発生器であって、周期的にタイマーイベントを発生し、対応するタイマーイベント信号を前記制御器（２、２’）の前記制御手段（１２）に供給するように動作可能である、タイマーイベント発生器、
をさらに備え、
前記制御器（２、２’）の前記制御手段（１２）は、そのようなタイマーイベント信号を受信すると通信開始データフレームを送信するように構成されている、システム。
【請求項２２】
請求項２１に記載のシステムにおいて、
前記タイマーイベント発生器が前記タイマーイベントを発生する頻度は、前記第２の頻度値を有するか、または前記第２の頻度値がタイマーイベント頻度の整数倍となるものであり、
前記制御器（２、２’）は、クロック（２３）を備え、前記制御器（２、２’）の前記制御手段（１２）は、タイマーイベント信号の受信によって開始される各々のデータフレーム（３００）に、前記クロック（２３）から得られる時間リファレンスを含めるように構成され、
前記スレーブ装置（３、４）の前記制御手段（２１）は、スレーブ装置（３、４）にて受信すると前記時間リファレンスを検査し、前記時間リファレンスによって、前記リスニング期間のスタート時間を前記タイマーイベントと同期させるように構成されている、システム。
【請求項２３】
請求項１３〜２２のいずれかに記載のシステムにおいて、
前記制御器（２’）は血中グルコース検出手段（２０）を含む、システム。
【発明の詳細な説明】
【開示の内容】
【０００１】
本発明は、マスター制御器と、インスリン投与手段を備えるスレーブ装置とを含む血中グルコースシステムの構成要素間の無線データ送信のための方法、および対応する血中グルコースシステムに関する。
【０００２】
糖尿病は、膵臓が十分な量のホルモンインスリンを生産できなくなり、そのため代謝作用が適正な糖および澱粉の吸収を提供することができなくなることによって引き起こされる慢性の代謝性疾患である。この障害は、高血糖症、すなわち血漿内の過剰な量のグルコースの存在をもたらす。持続性の高血糖症は、脱水症、ケトアシドーシス、糖尿病性昏睡、循環器疾患、慢性腎不全、網膜損傷、および四肢切断術の危険を伴う神経損傷等のさまざまな重篤な症状および生命にかかわる長期合併症を引き起こす。治癒はまだ可能でないので、不断の血糖コントロールを提供して血中グルコースの濃度を常に正常な限界内に維持する永続的な治療法が必要である。かかる血糖コントロールは、患者の身体に定期的に外部インスリンを供給して血中グルコースの高い濃度を減少させることによって達成される。
【０００３】
外部インスリンは、一般に、即効型および中間型インスリンの混合物を皮下注射器を介して１日当り１回または２回注射することによって投与されていた。この処置は血中グルコースの頻繁な判定を必要としないが、このようなやり方で達成される血糖コントロールの程度は次善のものであることがわかっている。それというのは、インスリンの送出が、インスリンがゆっくりした速度でかつ長期間にわたって血流に入る生理学的なインスリン生産と違っているからである。血糖コントロールの改善は、毎日の多数回の注射に基づくいわゆる集中インスリン療法によって達成されることもでき、多数回の注射には、基礎インスリンを供給するための１日当り１回または２回の持続型インスリンの注射と、毎食前の、食事の量に比例した量の即効型インスリンの追加の注射が含まれる。伝統的な注射器は少なくとも一部インスリンペンによって置換されているが、それでも頻繁な注射は患者にとって非常に不便なものである。
【０００４】
糖尿病治療の大幅な改善は、毎日の注射器またはインスリンペンの使用から患者を解放する血中グルコースシステムの開発によって達成されている。かかる血中グルコースシステムは、通例、バッテリ式のインスリンポンプと、分離型のバッテリ式の制御ユニットとを備える。インスリンポンプは、より生理学的なやり方でインスリンを送出するのを可能にするものであり、標準のまたは個々に修正されたプロトコルに従って一日の間のより良好な血糖コントロールを患者に与えるように制御されることができる。インスリンポンプは、皮下配置のための埋め込み型装置として組み立てることができ、または患者の身体上に携帯される外部装置として組み立てることができる。
【０００５】
インスリンポンプの動作は、制御ユニットによって制御され、修正されることができる。例えば、インスリンポンプによる適切な量のインスリンの送出は、患者が患者の血中グルコース濃度を頻繁に決定し、制御ユニットにこの値を入力することを必要とし、入力すると制御ユニットはデフォルトのまたは現在使用中のインスリン送出プロトコルに適切な修正、すなわち投与量およびタイミングを計算し、その後インスリンポンプと通信してインスリンポンプの動作をそれに応じて調節する。血中グルコース濃度の決定は、手持ち式の電子計器等の適切なバッテリ式の測定装置によって実行され、そのために測定装置は、酵素ベースのテスト片を介して血液試料を受け取り、酵素反応に基づいて血中グルコースの値を計算する。有利には、測定装置は血中グルコースシステムと一体の部分であり、そのため測定値は制御ユニットに自動的に送出される。この点に関して、測定装置は制御ユニットのハウジングの中に一体化されることもでき、または制御ユニットと通信する分離型の装置として提供されることもできる。さらに、患者が食事をする度に制御ユニットを使用して、ポンプにその食事を補填する指定された量のインスリンを投与するように命じることが必要なこともある。最近、制御ユニットがインスリン送出プロトコルを自動的に修正する多かれ少なかれ閉ループ型の制御が実現されている。
【０００６】
治療の永続性を考慮して、糖尿病患者に使用の柔軟性、便利さ、および容易さを提供して、患者の生活の質を向上させることが望ましい。この点に関して、血中グルコースシステムの個々の装置間のケーブル接続が不利なことは明らかである。したがって、無線通信リンクを提供することが知られている。しかしながら、無線通信を履行するにあたっては、必要な受信器と送信器とがエネルギー消費の主要な源であることを考慮に入れなければならない。したがって、受信器および送信器の使用はバッテリ寿命の減少を生じさせ、個々の装置のより頻繁なバッテリの交換または再充電を必要とする。医療装置において、この問題は、患者に不便なだけでなく、必要なときに装置が適正に機能しないという危険を高めることにもなる。さらに、埋め込み型の装置に関し、バッテリの交換または再充電は外科手術を伴うものである。ゆえに、送信器および受信器の効率的な使用法を提供することが重要である。
【０００７】
エネルギー消費を減少させる１つの可能性は、送信電力を減少させることである。しかしながら、多くの応用例においてこれは十分でない。ゆえに、受信器および送信器は、一般に、間隔をおいた別個のリスニング期間および送信期間中に、時々定期的に作動化されるのみであり、リスニング期間と送信期間の間の一致を維持しようとする同期手段が設けられる。バッテリ寿命に関して、個々のリスニング期間および送信期間の持続時間を減少させ、かつ各々の２つの連続的な期間の間の間隔を増加させることが望ましい。しかしながら、リスニング期間の間の間隔のため、要求があり次第直ちにメッセージを送信することはもはや不可能である。むしろ、特定の受取り器にメッセージを送信したいと望む装置は、少なくとも受取り器の次のリスニング期間のスタートまで待たなければならず、また少なくとも装置自身の次のリスニング間隔まで受信の確認をさらに待たなければならない。ゆえに、受信器が非作動化される長い期間は、大幅な遅延時間を生じがちであるという不利益を有し、患者にとって不便である。したがって、バッテリ寿命と遅延時間との間に適切な妥協点を見出そうとするのであれば、連続的なリスニング期間の間の間隔が下回るべきではない下限がある。
【０００８】
このような仕方で動作する１つの代表的な血中グルコースシステムが米国特許第6,585,644号に記載されている。この引用文献は、テレメトリメッセージを介して埋め込み型インスリンポンプおよび／または血中グルコースセンサー等の少なくとも１つのバッテリ式医療装置と無線通信するバッテリ式の外部通信装置を開示する。対応する通信プロトコルは、特に医療装置（単数または複数）の低電力消費のために、ならびに低通信遅延時間のために設計されている。このプロトコルによれば、すべての装置において受信器は、非活動期間によって分離された別個のリスニング期間中にのみ作動化される。リスニング期間の長さがエネルギー消費量を決定し、連続的なリスニング期間の間の間隔が遅延時間を決定する。テレメトリメッセージは、メッセージの送信と同時にプリアンブル信号の送信を行うプリアンブル部を含む。テレメトリメッセージの送信は、対応する送信期間に発生し、送信期間と送信期間の間では送信器は非作動化される。複数の装置は、送信期間とリスニング期間が同時に起きるように互いに同期された状態にとどまろうとする。通信障害または同期外れの場合には、送信期間が延長もしくはシフトされることもでき、またはプリアンブル信号が長期間にわたって送信されて対象装置のリスニング期間を捉えるようにすることもできる。植え込み型医療装置は格納モードを有することもでき、医療装置は不使用の期間中格納モードにシフトされることができ、また、格納モードにおいては、連続的なリスニング期間の間の間隔は実質的に増加されてバッテリ残量を保存する。このシステムは上述した不利益を有する。依然として、実質的にエネルギー消費量を増加させることなくさらに遅延時間を減少させることが望ましい。
【０００９】
米国特許第6,807,159号は、実質的に遅延時間を増加させることなくマスター駆動の無線ネットワークにおける電力消費を減少させるように設計されたプロトコルを開示する。マスターはスレーブ装置に定期的にポーリングメッセージを送信し、該スレーブ装置はこのメッセージの送信中にのみスレーブ装置の受信器を作動化させる。各々のスレーブ装置に関し、確率ベースのアプローチが使用されて、次のデータパケットの到着時間を予測するようにする。この予測の結果は、次に、各々のスレーブ装置のポーリング間隔を調節するために使用される。この適応性のある確立ベースポーリング間隔機構は、各々の装置におけるトラフィックの時間分布がほぼ一定であれば、バッテリ寿命および遅延時間に関して最適化をもたらす。しかしながら、この機構は、システムの制御器と他の装置との間の通信が時々行われるのみで、トラフィック分布が高度に不均一である無線血中グルコースシステムに有利には適用できない。
【００１０】
本発明の目的は、血中グルコースシステムの構成要素間の無線データ送信のための方法であって、このシステムのすべての構成要素の低電力消費を低遅延時間と組み合わせるもので、先行技術に見出される不利益を取り除く方法を提供し、また対応する血中グルコースシステムを提供することである。
【００１１】
この目的は、請求項１の特徴を備えた方法によって、また請求項１３の特徴を備えた血中グルコースシステムによって達成される。本発明のさらなる好ましい実施の形態はそれぞれの従属形式請求項の主題である。
【００１２】
本発明の方法のステップは、インスリン投与装置および分離型の遠隔制御器を含む血中グルコースシステムの構成要素によって実行されて、当該システムの個々の装置間で命令、ステータス、および他のデータを無線転送する。装置間のデータの流れはマスター／スレーブ原理に従い、ここで遠隔制御器はマスターであり、インスリン投与装置および予想されるさらなる装置はスレーブであり、当該スレーブは通例のごとく決して通信を開始せず、遠隔制御器から受信したメッセージに応答するのみである。すなわち、マスターのみが通信サイクルを開始する権限を有するのに対して、スレーブ装置はマスターによって要求されたときにのみ送信し、確実に２つのスレーブ装置が同時に空気インターフェースを占めることができないようにしている。血中グルコースシステムの各々の装置は、メッセージの無線受信および送信のために、それぞれ受信器および送信器を含む。
【００１３】
インスリン投与装置は通常省電力モードで動作し、この省電力モードにおいては、インスリン投与装置の受信器は受信器作動化頻度で間欠的に作動化され、このとき、受信器は毎回所定のリスニング期間の間作動化され、受信器は残りの時間の間は非作動化される。好ましい実施の形態において、所定のリスニング期間は、例えば１０msとすることができる。制御器を使用してインスリン投与装置にデータを送信し、またはインスリン投与装置から応答を要求しようとする場合には、制御器の送信器が送信期間の間作動化されて、インスリン投与装置にアドレス指定されもしくは向けられた適切なデータフレームを送信する。明らかに、血中グルコースシステムがインスリン投与装置の他にさらなるスレーブ装置を含まない場合、または血中グルコースシステムのすべてのスレーブ装置にデータフレームを送信しようとする場合を除いて、データフレームは、好ましくは、データフレームがインスリン投与装置にアドレス指定されたものであることの指示を含む。データフレームは、データフレームを送信するとプリアンブル信号がプリアンブル期間の間送信されるように構成されているプリアンブル部を含む。すべてのまたはいくらかのデータフレームは通信開始データフレームとすることもできる。このタイプのデータフレームは、制御器がインスリン投与装置と通信を開設することを望むときに、制御器によって送信される。通信開始データフレームの送信の後で、制御器の送信器は非作動化され、次に制御器の受信器が応答期間の間作動化される。好ましい実施の形態において、応答期間は、例えば５０ms〜５００ms、好ましくは約１００msとすることができる。いずれにしても、選択された応答期間は、スレーブ装置の命令処理時間を十分に超えなければならず、また所望の性能要件と応答性要件に適応すべく十分に短くなければならない。スレーブ装置がリスニング期間中にプリアンブル信号を、すなわち通信開始データフレームのプリアンブル部に含まれたプリアンブルの少なくとも一部を受信した場合には、インスリン投与装置の受信器は、通信開始データフレームの残余の少なくとも一部がインスリン投与装置によって受信されるまで作動状態に維持される。インスリン投与装置にアドレス指定されまたは向けられた通信開始データフレームの受信の後で、インスリン投与装置は、インスリン投与装置の送信器が作動化されて制御器に応答を送信する通信モードに切り替えられる。この応答もまたデータフレームによって構成され、制御器によって送信されたデータフレームのタイプ次第で、受信の単なる確認であることも、または制御器によって要求されたさらなるデータを含むこともできる。通信開始データフレームの受信の後でインスリン投与装置によって送信される応答は、インスリン投与装置が確かに通信開始データフレームを受信し、通信モードに切り替わったことを制御器に指示する。その後、またはさらなるステップにおいて、インスリン投与装置は通信モードから省電力モードに再び切り替えられる。
【００１４】
本発明によれば、通信モードから省電力モードに再び切り替わると、受信器作動化頻度は、最初は第１の頻度値に設定される。何らの通信開始データフレームも所定の省電力タイムアウト期間中にインスリン投与装置によって受信されなければ、受信器作動化頻度は、第１の頻度値よりも小さい第２の頻度値に設定され、それによって“高頻度”省電力モードと、“低頻度”省電力モードとを提供する。他方、通信開始データフレームが受信されれば、インスリン投与装置は上述のように通信モードに切り替えられる。したがって、インスリン投与装置が通信開始データフレームを受信し、制御器と通信するたびに、連続的なリスニング期間の間の間隔は、最初は通常よりも非常に低い遅延時間、しかし若干高いエネルギー消費が生じるように選択される。制御器からのインスリン投与装置にアドレス指定されるか、または向けられたさらなる通信開始データフレームがないまま、いくらかの時間が過ぎた後にのみ、連続的なリスニング期間の間の間隔は、遅延時間が増加され、かつエネルギー消費量が通常の省電力値まで減少されるように選択される。この２段階工程は血中グルコースシステムにとって有利である。それというのは、患者は通例一日に２、３回制御器を使用するのみ（そして、制御器とインスリン投与装置との間の全体的な通信は時々発生するのみ）であり、また、かかる時間中にのみ高い遅延時間が不便として体験されるからである。制御器のほとんどの使用は短い期間内に制御器からインスリン投与装置に送られる多数のメッセージを伴うものであること、すなわち通信挙動が高度に不均一であることが理解されている。本発明の方法によれば、遅延時間はかかる高トラフィックの間隔の予想される各々の初めに減少される。
【００１５】
制御器により送信される通信開始データフレームにおいて、プリアンブル部の長さは、プリアンブル期間が第１の頻度値に対応するサイクル持続時間の長さを超えるように選択される。応答期間中に何らの応答も受信されなければ、すなわちどうもインスリン投与装置がインスリン投与装置の１つのリスニング期間中にプリアンブル信号を受信しなかったらしい場合には、プリアンブル部の長さは、プリアンブル期間が第２の頻度値に対応するサイクル持続時間の長さを超えるように増加され、通信開始データフレームはこの修正されたプリアンブル部と共に再送信される。したがって、制御器は、最初は、通信開始データフレームが、インスリン投与装置が“高頻度”省電力モードにある場合にのみ、またはインスリン投与装置の１つのリスニング期間がたまたまプリアンブル信号の送信時間と重なる場合にのみ受信されるように、通信開始データフレームを送信する。通信開始データフレームがインスリン投与装置によって受信されれば、エネルギーは節約される。通信開始データフレームが短いプリアンブル期間と共に送信されるからである。この通信の試みが成功しない場合にのみ、通信開始データフレームは、通信開始データフレームが“低頻度”省電力モードで動作するインスリン投与装置にて確実に受信されるように送信される。
【００１６】
本発明の方法は、血中グルコースシステムの特定の不均一トラフィックパターンに対して、遠隔制御器およびインスリン投与装置の両方における低エネルギー消費量が制御器によって送信された要求に対するインスリン投与装置の低応答時間と組み合わされるという利点を提供する。
【００１７】
本発明の方法は、血中グルコースシステムが、インスリン投与装置のほかに、スレーブ装置と同様に形態付けられる血中グルコース検出装置、および／または、ことによると１つまたは複数の他の追加のスレーブ装置を含む場合に、有利に適用されることができる。かかるシステムのすべてのスレーブ装置、すなわちインスリン投与装置、血中グルコース検出装置、および、ことによると他のスレーブ装置、はインスリン投与装置に関して上述したのと同じステップを実行する。よって、無線通信に関して、これらのスレーブ装置は同一の挙動を示す。すなわち、同じ通信プロトコルに従う。
【００１８】
２つ以上のスレーブ装置を備える血中グルコースシステムの場合に、制御器は特定のスレーブ装置にデータを送信し、または特定のスレーブ装置から応答を要求することもでき、そのためには、インスリン投与装置に関して上述したように、制御器の送信器を送信期間の間作動化させてこのスレーブ装置にアドレス指定された適切なデータフレームを送信するようにする。次に、通信開始データフレームが向けられることになっている対象スレーブ装置の指示を制御器によって送信される通信開始データフレームに含めて、スレーブ装置との通信を開くことが好ましい。スレーブ装置が当該スレーブ装置の１つのリスニング期間中にプリアンブル信号を受信すると、スレーブ装置の受信器は、通信開始データフレームに含まれた対象装置指示が受信されるまで作動状態に維持される。この時点で、通信開始データフレームがこのスレーブ装置にアドレス指定されたものかどうかを決定されることができる。通信開始データフレームが実際にこのスレーブ装置にアドレス指定されたものである場合にのみ、スレーブ装置の受信器は、残余の通信開始データフレームが受信されるまで作動状態に維持され、スレーブ装置は上述のように通信モードに切り替えられる。さもなければ、スレーブ装置は省電力モードに維持される。しかしながら、スレーブ装置の作動化頻度は第２の頻度値よりも大きい第３の頻度値に変更され、そして所定のタイムアウト期間（この期間は、例えば上述の所定の省電力タイムアウト期間と同一とすることもできる）の間何らの通信開始データフレームも受信されない場合にのみ、作動化頻度は再び第２の頻度値に変更される。したがって、通信開始データフレームが受信される時はいつも、スレーブ装置は、たとえ通信開始データフレームが別のスレーブ装置にアドレス指定されたものだとしても、遅延時間を減少させる。この挙動は有利である。それというのは、任意の高トラフィックの期間中、制御器はたいがい１つのスレーブ装置とだけでなく、すべてのスレーブ装置と順番に通信することがわかっているからである。好ましくは、第３の頻度値と第１の頻度値とは同一となるように選択される。
【００１９】
好ましい実施の形態において、第１の頻度値は、インスリン投与装置の受信器が１００〜５００msごとに、好ましくは３００msごとに作動化されるように選択され、第２の頻度値は、インスリン投与装置の受信器が０．５〜３０sごとに、好ましくは２〜２０sごとに、最も好ましくは約３sごとに作動化されるように選択される。この点に関して、第２の頻度値に対応する作動化期間が第１の頻度値に対応する作動化期間の整数倍であれば、有利である。頻度値が常に適切な応答時間と十分に低いエネルギー消費との間の妥協点であり、これらの特定の要件を満たすように選択されなければならないことは明らかである。一方では、より高い頻度値は、スレーブ装置のエネルギー消費量を増加させるが、より短いプリアンブル期間を利用することもできるので、制御器のエネルギー消費量を減少させる。他方では、より低い頻度値は、スレーブ装置のエネルギー消費量を減少させるが、より長い遅延時間を生じ、また、より長いプリアンブル期間が必要となるので、制御器のエネルギー消費量の増加を生じさせる。さらに、制御器によって利用される短いプリアンブル期間および長いプリアンブル期間は、好ましくは、これらの期間が“高頻度”省電力モードおよび“低頻度”省電力モードの期間をそれぞれ約２５msだけ超えるように選択される。したがって、最も好ましい実施の形態において、プリアンブル期間は、それぞれほぼ３２５msおよびほぼ３０２５msである。さらに、所定の省電力タイムアウト期間は１０s〜６０s、好ましくは約１５sであることが好ましい。特定の適用例のための所定の省電力タイムアウト期間の最適値は、一方では制御器に対する無線通信を必要とするユーザの色々な行為の間の平均期間の判定に基づいて、また他方ではユーザが無線通信を必要とする新たなユーザ対話を求めようとしていないと考えられるまでの時間の判定に基づいて選択されるべきである。上述のさまざまなパラメータに関する値は、血中グルコースシステムの低エネルギー消費と低応答時間との良好な均衡を生じさせる。
【００２０】
２つ以上のスレーブ装置の場合に、いくらかの事例において、上述の方法を、スレーブ装置の通信モードから省電力モードへの切り替えと同時に、受信器作動化頻度が第１の頻度値に設定されることなく直ちに第２の頻度値に設定されるように修正すると有利なこともある。この修正された方法は、十中八九制御器が各々のスレーブ装置を各々の通信期間中に正確に一度ポーリングするのであれば有利となり得る。かかる場合は、追加の省電力をスレーブ装置の側で達成することができる。
【００２１】
本方法は、制御器によって送信されるすべてのデータフレームが通信開始データフレームであることを伴うこともできる。しかしながら、通信開始データフレームの送信の後で、制御器がさらなるデータフレームも送ることが好ましい。したがって、本発明の方法の好ましい変形例において、通信開始データフレームの送信の後で、制御器の送信器は少なくとも１つのさらなる送信期間の間作動化されて、同じスレーブ装置にアドレス指定（address）されまたは向けられかつプリアンブル信号がプリアンブル期間の間送信されるように選択されたプリアンブル部を含む少なくとも１つのさらなるデータフレームを送信し、また各々の少なくとも１つのさらなるデータフレームの送信の後で、制御器の受信器は応答期間（この期間は、好ましい実施の形態において、例えば５０ms〜５００ms、好ましくは約１００msとすることができる）の間作動化される。スレーブ装置が通信開始データフレームをさらなるデータフレームから区別し、おそらくは色々なタイプのさらなるデータフレームを区別する可能性を提供するために、制御器によって送信されるすべてのデータフレームは、データフレームの内容を識別する命令が含まれる命令部を含む。任意の通信開始データフレームに関し、通信開始命令がそれぞれの命令部に含められて、このデータフレームを通信開始データフレームとして識別する。
【００２２】
スレーブ装置が、当該スレーブ装置が省電力モードにある間のリスニング期間中にプリアンブル信号を受信した場合には、スレーブ装置の受信器は少なくともデータフレームの命令部に含まれた命令が受信されるまで作動状態に維持され、またスレーブ装置は命令が通信開始命令でない場合には省電力モードに維持される。他方、スレーブ装置が、当該スレーブ装置が通信モードにある間にプリアンブル信号を受信した場合には、スレーブ装置の受信器は少なくともデータフレームの命令部に含まれた命令が受信されるまで作動状態に維持される。命令が通信開始命令でなく、かつスレーブ装置がデータフレームの意図された受取り器であれば、スレーブ装置の受信器は残余のデータフレームが受信されるまで作動状態に維持され、次にスレーブ装置の送信器が作動化され非作動化されて、制御器に応答を送信する。したがって、スレーブ装置は、スレーブ装置がすでに通信モードにある場合にのみ、さらなるデータフレームに応答する。各々のスレーブ装置は、このスレーブ装置に通信モードへの切り替えを命じる通信開始データフレーム、すなわち通信サイクルをスタートさせる通信開始データフレームを受信すると、並びにこのスレーブ装置にアドレス指定されかつこのスレーブ装置が依然として通信モードにあるときにこのスレーブ装置によって受信される任意のさらなるデータフレームを受信すると、応答を送信することに注意されたい。ゆえに、特定のスレーブ装置との各々の通信サイクルにおいて、制御器によってこのスレーブ装置に送信されるすべてのデータフレームは、スレーブ装置によって制御器に送信される応答データフレームを必然的に伴う。制御器によって送信されるデータフレームのタイプ次第では、応答データフレームは単なる受信の確認であることもでき、または制御器によって要求されたさらなるデータを含むこともできる。
【００２３】
好ましい実施の形態において、特定のスレーブ装置における通信モードは、このスレーブ装置にアドレス指定された何らの通信開始データフレーム、または何らのさらなるデータフレームも所定の通信タイムアウト期間の間受信されなければ終了され、通信モードは、それぞれのスレーブ装置の受信器がスレーブ装置の送信器が応答を送信するために作動化されていないときはいつも作動状態に維持されるように、整えられる。したがって、通信開始データフレームの受信を始めとして、特定のスレーブ装置は少なくとも所定の通信タイムアウト期間の間通信モードに維持される。通信モードにおいて、遅延時間はスレーブ装置の受信器がいつも作動状態にあるので実質的にゼロであり、そのため多数のさらなるデータフレームおよび対応する応答を伴う効率的な通信が達成される。このようにして、いくつものデータフレームが実質的にゼロの遅延時間でスレーブ装置に送信されることができる。さらに、制御器において特定のスレーブ装置に最後のデータフレームを送信した時からの時間を追跡し、制御器において、同じスレーブ装置にさらなるデータフレームを送信する前に、測定された時間と所定の通信タイムアウト期間との比較に基づいて、このスレーブ装置が依然として通信モードにあると予想されるかどうかを決定することが好ましい。スレーブ装置が依然として通信モードにあると予想されると決定されれば、制御器は、プリアンブル期間が第１の頻度値および第２の頻度値に対応するサイクル持続時間よりも短い期間にまたがるように最初にデータフレームを送信する。実際、プリアンブル期間は、例えば約２５ms等の最小の持続時間を有するように選択されることができる。通信モードにおいてはスレーブ装置の受信器は常に作動化されているからである。このようにして、追加の省エネルギーが制御器の側で達成される。好ましい実施の形態において、所定の通信タイムアウト期間は０．２〜２．５s、好ましくはほぼ２sである。
【００２４】
かかる延長通信モードの場合、さらに、特定の第１のデータフレームに対してスレーブ装置によって送信される応答に遅延期間指示を含めて、実際の応答が後で送信されることを指示するオプションを提供することが好ましい。言い換えれば、スレーブ装置がデータフレームの送信に続く応答期間内に応答を送信することができないと決定した場合には、スレーブ装置は制御器に応答が遅れることを指示することができる。その後でスレーブ装置と制御器の両方の送信器と受信器は指示された遅延期間の間非作動化される。指示された遅延期間が終わった後にのみ、制御器の送信器とスレーブ装置の受信器は作動化され、制御器は遅れた応答をスレーブ装置に要求する第２のデータフレームを送信することもでき、スレーブ装置はこの要求を受信することができる。要求データフレームを受信すると、スレーブ装置の送信器は作動化されて制御器に要求された応答を送信する。このようにして、応答期間はエネルギーを節約するために比較的短くなるように選択されることができる。
【００２５】
通信サイクルが１つまたは複数の追加のデータフレームが後に続く通信開始データフレームを伴う、かかる延長通信モードの場合に、制御器によりおよびスレーブ装置（単数または複数）により送信されるデータフレームが特定の通信サイクル内のデータフレームを固有に識別するフレーム番号またはフレームリファレンスを含めば有利である。例えば、通信開始データフレームはフレーム番号１を含むこともでき、アドレス指定されたスレーブ装置により通信開始データフレームに応答して送信されるデータフレームも同様にフレーム番号１を含むこともできる。制御器によって送信される各々の追加のデータフレームおよび対応する応答データフレームについては、フレーム番号は１だけ増加される、すなわち第１の追加のデータフレームおよび応答データフレームはフレーム番号２を有し、第２の追加のデータフレームおよび応答データフレームはフレーム番号３を有する、などである。別の例において、通信開始データフレームはフレーム番号１を含み、アドレス指定されたスレーブ装置により通信開始データフレームに応答して送信されるデータフレームはフレーム番号２を含み、制御器により送信される第１の追加のデータフレームはフレーム番号３含む、などである。いずれにしても、かかるフレーム番号またはフレームリファレンスにより、制御器によってデータフレームを送信することにより発行されるすべての命令がアドレス指定されたスレーブ装置により所定の順序で正確に一度実行されることが保証される。制御器は、命令の実行を確認する応答データフレームがどのフレーム番号またはフレームリファレンスを有しなければならないか承知しているので、制御器は、命令の実行が確認されるまでその命令を再発行することもできる。さらに、スレーブ装置は、命令列における次の命令に対応する追加のデータフレームがどのフレーム番号またはフレームリファレンスを有しなければならないか承知しているので、スレーブ装置は列中の命令が欠落している場合には警告を発行することもでき、特定の命令が二度以上実行されることが防止される。
【００２６】
血中グルコースシステムの安全性をさらに高めるために、各々のデータフレームがアドレス指定されたスレーブ装置の指示（２つ以上のスレーブ装置の場合）を含むのみでなく、データフレームを送信した装置（制御器またはスレーブ装置）を固有に識別する出所装置リファレンスを含むようにすることも有利である。この出所装置リファレンスは、特定の血中グルコースシステムの構成要素が、確実に、この血中グルコースシステムに属しないデータフレームを無視するようにするために利用することもできる。
【００２７】
さらに好ましい実施の形態において、制御器は終了命令を含むデータフレームを通信モードにあるスレーブ装置に送信することもでき、スレーブ装置はこの終了データフレームを受信すると通信モードを終了させる。したがって、制御器を使用して通信モードにあるスレーブ装置にさらなるデータフレームを送信することを意図しない場合には、実質的に永続的に作動化される受信器を伴う通信モードは通信タイムアウト期間が終わる前に終了させて、エネルギーを節約することもできる。このスレーブ装置の通信モードを終了させる可能性は、好ましくは、特定のスレーブ装置における通信モードがこのスレーブ装置にアドレス指定された何らの通信開始データフレームまたは何らのさらなるデータフレームも所定の通信タイムアウト期間の間受信されなければ終了されるという上述の実施の形態と組み合わされる。そして、通信モードが常に終了命令によって終了されるべきであること、および、通信タイムアウト期間は、手違いの場合にスレーブ装置が不注意で永続的に通信モードに止まるのを回避するための安全性特徴としてのみ提供されることが好ましい。
【００２８】
さらに、制御器による少なくとも１つの通信開始データフレームの送信がユーザの要求によって開始されること、すなわち通信開始データフレームが何らかの所定の送信窓を待つことなく送信されることが好ましい。これは、患者がインスリン送出プロトコルを修正すること、もしくはスレーブ装置の他の何らかの設定を変更することを決定し、または患者が食事の前にインスリン投与を必要とする場合とすることもできる。
【００２９】
追加的にまたは代替的に、タイマーイベントが制御器において周期的に発生されること、および、通信開始データフレームがかかるタイマーイベントの発生のたびごとに制御器によって送信されることが好ましい。この点に関して、第２の頻度値を有するように、または第２の頻度値がタイマーイベント頻度の整数倍となるように、タイマーイベントが発生する頻度を選択し、タイマーイベントによって開始される各々の通信開始データフレームに時間リファレンスを含め、時間リファレンスをスレーブ装置にて受信すると検査し、時間リファレンスに基づいて、スレーブ装置のリスニング期間のスタート時間をタイマーイベントと同期させると特に有利である。このようにして、対象スレーブ装置の現在の作動化頻度値にかかわらず、制御器が、確実に、第１の頻度値に対応するサイクル持続時間の長さを超えることのみを必要とするプリアンブル期間を使用して対象スレーブ装置と連絡することができるようにされる。したがって、エネルギー消費と遅延時間が減少される。通信開始データフレームのタイマーイベント起動式送信または自動ポーリングは、例えばスレーブ装置の自動制御および保守に利用される。したがって、タイマーイベント発生式通信サイクルは、スレーブ装置のステータスを周期的にチェックし、またはスレーブ装置の動作を制御するため、例えばインスリン投与装置によって適切な量のインスリンを定期的に投与するために役立つこともできる。好ましくは、かかるタイマーイベントは３〜５minごと、好ましくは約５minごとに発生される。さらに、タイマーイベントが発生すると送信される通信開始データフレームがユーザの要求によって開始される通信開始データフレームと区別されれば、また通信開始データフレームを受信するスレーブ装置が通信開始データフレームがタイマーイベントによりまたはユーザの要求により開始されたものかどうかを決定すれば、有利であることもできる。このようにして、通信タイムアウト期間、省電力タイムアウト期間、および／または通信開始データフレームによりアドレス指定されていないスレーブ装置によっていつ“高頻度”省電力モードから“低頻度”省電力モードに変更すべきかどうかを決定するのに利用されるタイムアウト期間は、ユーザの要求により開始される通信開始データフレームよりもタイマーイベントにより開始される通信開始データフレームに関してより短くなるように選択されることもできる。このことは、ほとんどの事例で自動ポーリングは延長通信を必要としないので、また自動ポーリングはユーザとの対話を必要としないため延長された遅延時間がユーザを苛立たせることもないので、有利となることもできる。
【００３０】
本発明は、さらに、本発明の方法を実施する血中グルコースシステムに関する。かかるシステムは、受信器、送信器、および制御手段を有するマスター制御器を備えており、制御手段は、送信期間の間送信器を作動化させて、プリアンブル信号がプリアンブル期間の間送信されるようにプリアンブル部を含む通信開始データフレームを送信し、その後応答期間の間送信器を作動化させるように、動作可能である。本システムは、さらに、インスリン投与手段を備え、かつ受信器、送信器、および制御手段を有するスレーブ装置を含んでおり、スレーブ装置は、インスリンがスレーブ装置から患者の身体に送出されるように患者の身体に着用され、または患者の身体の皮下に埋め込まれるように構成されている。スレーブ装置の制御手段は、スレーブ装置を、通常、制御手段が受信器を受信器作動化頻度で間欠的に作動化させ、受信器が毎回、例えば１０msの所定のリスニング期間の間作動化され、受信器が残りの時間の間非作動化される、省電力モードで動作させるように構成されている。スレーブ装置の制御手段は、さらに、スレーブ装置の受信器が、リスニング期間中に通信開始データフレームのプリアンブル信号を受信したかどうかを決定し、プリアンブル信号を受信した場合には、スレーブ装置の受信器を、通信開始データフレームの残余の少なくとも一部が受信されるまで作動状態に維持し、スレーブ装置を、制御手段がスレーブ装置の送信器を作動化させて制御器に応答を送信する通信モードに切り替え、その後スレーブ装置を通信モードから省電力モードに切り替えるように構成されている。通信開始データフレームの受信の後でインスリン投与装置によって送信される応答は、インスリン投与装置が実際に通信開始データフレームを受信し、通信モードに切り替わったことを制御器に指示する。
【００３１】
本発明によれば、スレーブ装置の制御手段は、スレーブ装置を通信モードから省電力モードに切り替え際に、最初は作動化頻度を第１の頻度値に設定し、受信器がそのスレーブ装置向けの通信開始データフレームを所定の省電力タイムアウト期間の間受信しなければ、作動化頻度を第１の頻度値よりも小さい第２の頻度値に設定するように構成されており、制御器の制御手段は、通信開始データフレームを、プリアンブル期間が第１の頻度値に対応するサイクル持続時間の長さを超えるように送信し、また、応答期間中に何らの応答も受信されない場合には、通信開始データフレームを、プリアンブル期間が増加され第２の頻度値に対応するサイクル持続時間の長さを超えるように適応させて再送信するように構成されている。
【００３２】
好ましい実施の形態において、第１の頻度値は、スレーブ装置の受信器が１００〜５００msごとに、好ましくは３００msごとに作動化されるように選択され、第２の頻度値は、スレーブ装置の受信器が０．５〜３０sごとに、好ましくは２〜２０sごとに、最も好ましくは約３sごとに作動化されるように選択される。さらに、制御器により利用される短いプリアンブル期間および長いプリアンブル期間は、好ましくは、これらの期間が “高頻度”省電力モードおよび“低頻度”省電力モードの期間をそれぞれ約２５msだけ超えるように選択される。したがって、最も好ましい実施の形態において、プリアンブル期間はそれぞれほぼ３２５msおよびほぼ３０２５msである。さらに、所定の省電力タイムアウト期間は１０s〜６０s、好ましくは約１５sであるのが好ましい。これらの値は、血中グルコースシステムの低エネルギー消費と低応答時間との良好な均衡を生じさせる。
【００３３】
好ましい実施の形態において、本システムは少なくとも１つのさらなるスレーブ装置を含み、当該スレーブ装置の少なくとも１つは血中グルコース検出手段を備えており、すべてのスレーブ装置は、インスリン投与手段を備えるスレーブ装置の受信器、送信器、および制御手段とそれぞれ同様に構成された、受信器、送信器、および制御手段を備える。制御器の制御手段は、さらに、各々の通信開始データフレームに対象スレーブ装置の指示を含めて、さまざまなスレーブ装置を個々にアドレス指定するように構成されている。スレーブ装置の制御手段は、さらに、制御手段がスレーブ装置がリスニング期間中にプリアンブル信号を受信したと決定する場合には、スレーブ装置の受信器を、少なくとも受信器が対象装置指示を受信するまで作動状態に維持し、そのスレーブ装置が対象スレーブ装置であれば、スレーブ装置の受信器を残余の通信開始データフレームが受信されるまで作動状態に維持し、スレーブ装置を通信モードに切り替え、または、そのスレーブ装置が対象装置でない場合には、スレーブ装置を省電力モードに維持し、スレーブ装置の受信器作動化頻度を第３の頻度値（第２の頻度値よりも大きく、好ましくは第１の頻度値と同一である）に設定し、その後、受信器が所定のタイムアウト期間の間通信開始データフレームを受信しなければ、受信器作動化頻度を第２の頻度値に設定するように、構成されている。
【００３４】
さらに、マスター制御器の制御手段は、通信開始データフレームの送信の後で、制御器の送信器を少なくとも１つのさらなる送信期間の間作動化させて、同じスレーブ装置にアドレス指定されまたは向けられかつプリアンブル信号がプリアンブル期間の間送信されるようにプリアンブル部を含む少なくとも１つのさらなるデータフレームを送信し、また各々の少なくとも１つのさらなるデータフレームの送信の後で、制御器の受信器を応答期間（この期間は、例えば５０ms〜５００ms、好ましくは約１００msとすることができる）の間作動化させるようにさらに動作可能であり、ここで制御器によって送信されるすべてのデータフレームは命令が含まれる命令部を含む、とすれば好ましい。制御器の制御手段は、さらに、任意の通信開始データフレームの命令部に通信開始命令を含めて、このデータフレームが通信開始データフレームであることを指示するように構成されている。スレーブ装置の制御手段は、さらに、スレーブ装置の受信器が当該スレーブ装置が省電力モードにある間のリスニング期間中にプリアンブル信号を受信したかどうかを決定し、この決定が肯定的である場合には、スレーブ装置の受信器を、データフレームの命令部に含まれた命令が受信されるまで作動状態に維持し、スレーブ装置を、命令が通信開始命令でなければ省電力モードに維持するように構成されている。スレーブ装置の制御手段は、さらに、スレーブ装置の受信器が当該スレーブ装置が通信モードにある間にプリアンブル信号を受信したかどうかを決定し、この決定が肯定的である場合には、スレーブ装置の受信器を、少なくともデータフレームの命令部に含まれた命令が受信されるまで作動状態に維持し、命令が通信開始命令でなく、かつスレーブ装置がデータフレームの意図された受取り器であれば、スレーブ装置の受信器を、残余のデータフレームが受信されるまで作動状態に維持し、スレーブ装置の送信器を作動化し非作動化して、制御器に応答を送信するように構成されている。各々のスレーブ装置は、このスレーブ装置に通信モードへの切り替えを命じる通信開始データフレーム、すなわち通信サイクルをスタートさせる通信開始データフレームを受信すると、並びにこのスレーブ装置にアドレス指定されかつこのスレーブ装置が依然として通信モードにあるときにこのスレーブ装置によって受信される任意のさらなるデータフレームを受信すると、応答を送信することに注意されたい。ゆえに、特定のスレーブ装置との各々の通信サイクルにおいて、制御器によってこのスレーブ装置に送信されるすべてのデータフレームは、スレーブ装置によって制御器に送信される応答データフレームを必然的に伴う。制御器によって送信されるデータフレームのタイプ次第では、応答データフレームは受信の単なる確認であることもでき、または制御器によって要求されたさらなるデータを含むこともできる。
【００３５】
さらに好ましい実施の形態において、各々のスレーブ装置の制御手段は、受信器がそれぞれのスレーブ装置向けのデータフレームを所定の通信タイムアウト期間の間受信しなければ、通信モードを終了させ、それぞれのスレーブ装置の送信器を応答を送信するために作動化させていない時はいつも受信器を通信モードに維持するように構成されている。好ましい実施の形態において、所定の通信タイムアウト期間は、０．２〜２．５s、好ましくはほぼ２sである。
【００３６】
また、制御器はさらにタイマーを含み、制御器の制御手段は、特定のスレーブ装置にデータフレームを送信するとタイマーをスタートさせ、同じスレーブ装置にデータフレームを送信する前に、タイマーの現在値と所定の通信タイムアウト期間との比較に基づいて、スレーブ装置が依然として通信モードにあると予想されるかどうかを決定し、スレーブ装置が依然として通信モードにあると予想されると決定した場合には、プリアンブル期間が第１の頻度値および第２の頻度値に対応するサイクル持続時間よりも短い期間にまたがるように、データフレームを最初に送信するように構成されると好ましい。
【００３７】
さらに、各々のスレーブ装置の制御手段は、特定の第１のデータフレームに対してスレーブ装置によって送信される応答に遅延期間指示を含めて、実際の応答が後で送信されることを指示し、送信器および受信器を指示された遅延期間の間非作動化させ、遅延期間が終わった後にスレーブ装置の受信器を作動化させて、第１のデータフレームに対する応答を要求する第２のデータフレームの受信を待ち、その後スレーブ装置の送信器を作動化させて制御器に要求された応答を送信するように構成されていれば、また、制御器の制御手段は、遅延期間指示を含む応答を受信すると、制御器の送信器および受信器を指示された遅延期間の間非作動化させ、遅延期間が終わった後に制御器の送信器を作動化させて、第１のデータフレームに対する応答を要求する第２のデータフレームを送信するように構成されていれば、好ましい。
【００３８】
好ましい実施の形態において、制御器の制御手段は、通信モードにあるスレーブ装置に終了命令を含むデータフレームを送信するように動作可能であり、また各々のスレーブ装置の制御手段は、このデータフレームを受信すると通信モードを終了させるように構成されている。このスレーブ装置の通信モードを終了させる可能性は、好ましくは、特定のスレーブ装置における通信モードがこのスレーブ装置にアドレス指定された何らの通信開始データフレームまたは何らのさらなるデータフレームも所定の通信タイムアウト期間の間受信されなければ終了されるという上述の実施の形態と組み合わされる。そして、通信モードが常に終了命令によって終了され、通信タイムアウト期間は、手違いの場合にスレーブ装置が不注意で永続的に通信モードに止まるのを回避するための安全性特徴としてのみ提供されることが好ましい。
【００３９】
好ましい実施の形態において、制御器は作動手段を備えており、当該作動手段の作動により、データフレームを送信するように制御手段に命じる信号が制御手段に供給される。
【００４０】
また、制御器は、周期的にタイマーイベントを発生させ、対応するタイマーイベント信号を制御器の制御手段に供給するように動作可能なタイマーイベント発生器をさらに備え、制御器の制御手段は、かかるタイマーイベント信号を受信すると通信開始データフレームを送信するように構成されていると好ましい。この場合に、さらに好ましくは、タイマーイベント発生器がタイマーイベントを発生させる頻度は、第２の頻度値を有するか、または第２の頻度値がタイマーイベント頻度の整数倍となるものであり、また制御器はクロックを備え、制御器の制御手段は、タイマーイベント信号の受信によって開始される各々のデータフレームにクロックから得られる時間リファレンスを含めるように構成され、スレーブ装置の制御手段は、時間リファレンスをスレーブ装置にて受信すると検査し、時間リファレンスによって、リスニング期間のスタート時間をタイマーイベントと同期させるように構成されている。好ましくは、タイマーイベント発生器はかかるタイマーイベントを３〜５minごとに、好ましくは約５minごとに発生させることができる。
【００４１】
好ましい実施の形態において、制御器は血中グルコース検出手段を含む。したがって、本システムは、スレーブとして構成された分離型の血中グルコース検出装置を含むことも、および／または血中グルコース検出装置がその中に一体化された制御器を含むこともできる。
【００４２】
以下、本発明を図面を参照して好ましい実施の形態に関しより詳細に説明する。
【００４３】
図１aにおいて、血中グルコースシステム１が略図的に示され、当該システムは、制御器２と、患者の血液回路にインスリンを投与するためのインスリンポンプ３と、血中グルコースの濃度を決定するための血中グルコース測定装置４とを備える。制御器２は、ハウジング５と、ディスプレイ６と、いくつかの制御キー７を含み、当該制御キーは、制御器２により特定の行為を開始するために、または制御器２にデータを入力して、例えば患者の体重等のさまざまな患者パラメータに関してインスリンポンプ３の動作を調節するために利用することもできる。制御器２の主要なさらなる構成要素を図２aに示す略ブロック図に図示する。よって、制御器２は、さらに、バッテリ８と、送信器９と、受信器１０と、送信器９および受信器１０に連結されたアンテナ１１と、クロック２３とを備える。制御器２の動作は、制御電子回路１２によって制御される。特に、制御電子回路１２は、送信器９によって送信されるデータフレームを作るため、受信器１０により受信されたデータフレームを分析するため、また送信器９および受信器１０を作動化し、非作動化してデータフレームをそれぞれ送信し、受信するために動作可能である。クロック２３によって、制御電子回路１２は、タイマー機能（タイマーを生成し、スタートさせ、停止させる）を提供し、またタイマーイベントを規定し生成することもできる。
【００４４】
インスリンポンプ３と血中グルコース測定装置４は、各々、ハウジング１３と、ディスプレイ１４と、アンテナ１５とを備える。インスリンポンプ３と測定装置４の主要なさらなる構成要素を図２bに示す略ブロック図に図示する。よって、インスリンポンプ３と測定装置４は、さらに、バッテリ１７と、両方ともアンテナ１５に連結される送信器１８および受信器１９と、クロック２４とを備える。制御器２の動作は、制御電子回路２１によって制御される。特に、制御電子回路２１は、送信器１８によって送信されるデータフレームを作るため、受信器１９により受信されたデータフレームを分析するため、また送信器１８および受信器１９を作動化し、非作動化してデータフレームをそれぞれ送信し、受信するために動作可能である。クロック２４によって、制御電子回路１２は、タイマー機能（タイマーを生成し、スタートさせ、停止させる）を提供し、またタイマーイベントを規定し生成することもできる。両方の装置はまた機能ブロック２０を備える。インスリンポンプ３の場合、ブロック２０はインスリン投与手段であるが、血中グルコース測定装置４の場合、ブロック２０は、テスト片受け入れスロット１６に挿入可能な酵素ベースのテスト片上の血液サンプルを分析できるグルコース検出手段であり、酵素反応に基づいて血中グルコースの濃度を決定する。制御器２はRF空気インターフェース２２を介して装置３および４と通信し、当該空気インターフェースは、例えば、ヨーロッパに関し８６９．８４MHzのまたは米国およびカナダに関し９０３．０２MHzの周波数、６４kHzの２値分離、およびFSK変調を使用することもできる。マンチェスターコーディング（Manchester coding）を利用して、受信器間の自動平衡化を可能とし、またマンチェスター違反（Manchester violations）がないかテストすることもできる。
【００４５】
図１ｂは、代替的な血中グルコースシステム１’を略図的に示す。図１aのシステム１と同様に、システム１’は、制御器２’と、患者の血液回路にインスリンを投与するためのインスリンポンプ３とを備える。しかしながら、システム１’は、分離型の血中グルコース測定装置４を備えていない。むしろ、血中グルコース測定手段とテスト片受け入れスロット１６’は制御器２’中に一体化されている。すなわち、図１aに示すシステム１の制御器２および血中グルコース測定装置４は、共通のハウジング５を有する単一の装置２’中に組み合わされている。
【００４６】
図１aおよび１ｂにおいて、インスリンポンプ３は、患者の身体に着用される外部装置として図示されている。しかしながら、インスリンポンプ３は、皮下に配置される植え込み型の装置として組み立てられることもできる。
【００４７】
制御器２、２’と装置３および４とによって確立されるRF無線ネットワークにおいて、制御器２、２’はマスターとして形態付けられ、装置３および４はスレーブとして形態付けられる。すなわち、装置３および４は決して通信を開始せず、制御器２、２’から受信した命令に応答するのみである。制御器２、２’およびスレーブ装置３、４は、データフレームを交換することによって通信し、ここで各々の通信は好ましくは１つのデータフレームのみからなる。１つのかかるデータフレーム３００が図４に略図的に示されている。データフレーム３００は、プリアンブル部３０１と、アドレスヘッダー３０２（あて先アドレス部３０３、命令部３０４、並びにチェックサム部、出所アドレス部、および／またはフレーム番号またはフレームリファレンス部等の随意のさらなるヘッダー部（図示せず）を備える）と、随意のデータ部３０５とを備える。プリアンブル部３０１の長さは、特徴的なビットパターン（例えば、０１０１０１０１）を有する調節可能な数のプリアンブルバイトを含めるために可変であり、そのためデータフレームを送信すると、特徴的なプリアンブル信号が調節可能な期間（プリアンブル期間）の間送信される。各々のデータフレーム３００は特定の受取り器にアドレス指定される。意図された受取り器を指示するために、送信元は既定の対象装置アドレスをあて先アドレス部３０３に含める。データフレームのタイプ、すなわち命令か応答か、および命令のタイプは、命令部３０４に含まれる固有の命令識別子または応答識別子によって識別される。したがって、データフレーム３００を受信すると、制御電子回路１２、２１はそれぞれの装置が意図された受取り器であるかどうかを決定することができる。さらに、制御器２、２’または装置３、４がどの命令または応答をそれぞれ送ったかどうかを決定することができる。いくらかの命令は、さらなる情報が受取り器に送信されることを要求することもできる。かかる情報は、随意のデータ部３０５に含めることもできる。同じことが、装置３、４による応答として送信されるステータスデータ等の追加の情報にも当てはまる。
【００４８】
図３aおよび３ｂに、本発明による方法の好ましい実施の形態の略図が示されているが、ここで図３aは制御器２、２’において実行されるステップを示し、図３ｂはインスリンポンプ３および血中グルコース測定装置４において実行されるステップを示す。
【００４９】
図３ｂに示す実施の形態によれば、スレーブ装置３、４は、通常、スレーブ装置３、４の送信器１８および受信器１９が通例非作動化され、かつ受信器１９が３sごとに１０msのリスニング期間の間だけ作動化される省電力モードにおいて動作する。かかる動作モードは一般にスニフ（sniff）モードと名付けられ、連続的なリスニング期間のスタート時間の間の間隔はスニフ間隔（sniff interval）と呼ばれる。したがって、スレーブ装置３、４の動作はステップ２００においてスタートし、ここでスニフ間隔は３sに設定される。スニフ間隔が経過した後に（ステップ２０１）、受信器１９がステップ２０２において作動化され、ステップ２０３において、１０msのリスニング期間中にプリアンブル信号が検出されることができたかどうかが決定される。検出されていれば、受信器１９は残余のデータフレームを受信するために（ステップ２０４）作動状態に維持される。その後、受信されたデータフレーム３００の命令部３０４が検査されて、命令部が通信開始命令識別子を含むかどうかが決定される。この特定の命令は、対象装置を通信モードに切り替えるために制御器２、２’によって使用され、当該通信モードにおいて受信器１９は基本的にいつも作動化されている。よって、あて先アドレス部３０３がそれぞれのスレーブ装置のアドレスを含んでいるとステップ２０６において決定されれば、受信器は非作動化され（ステップ２０７）、スレーブ装置は通信モードに切り替えられる（ステップ２０８）。
【００５０】
通信モードにおいて、送信器１８は作動化され、非作動化されて制御器２、２’に応答を送信し（ステップ２０９）、次に受信器１９は再び作動化されて（ステップ２１０）、制御器２、２’からのさらなるデータフレーム３００を待つ。
【００５１】
通信開始データフレームに対する応答は、スレーブ装置３、４が今は通信モードにあることを制御器２、２’に指示する。スニフモードとは異なり、受信器１９は、さらなるデータフレーム３００のプリアンブル信号が検出されるまで、または例えば２sの持続時間（すなわち、リスニング期間よりも長い）の通信タイムアウト期間がプリアンブル信号を検出することなく経過するまで（ステップ２１１）作動状態に維持される。さらなるデータフレームのプリアンブル信号がステップ２１１において検出されれば、さらなるデータフレームがステップ２１２において受信される。さもなければ、また、受信したさらなるデータフレームのいずれもそのスレーブ装置にアドレス指定されたものでない場合には、スレーブ装置は再び省電力モードに切り替えられる（ステップ２１４）。同じことは、さらなるデータフレーム３００の命令部３０４に収められている命令が、通信モードを直ちに終了することを指示するものである場合にも起る（ステップ２１３）。しかしながら、ステップ２１２で受信したさらなるデータフレーム３００がかかる終了データフレームでなければ、受信器１９はステップ２１４において非作動化されてステップ２０９に戻り、応答を送信する。命令次第で、かかる応答は単なる受信の確認であることもでき、または制御器２、２’により要求されたデータを含むこともできる。したがって、制御器２、２’が同じスレーブ装置３、４にさらなるデータフレーム３００を、それぞれのデータフレームのプリアンブル信号が通信タイムアウト期間が経過する前に受信されるように送信し続ける限り、スレーブ装置３、４は通信モードにとどまり、当該通信モードにおいて受信器１９は、応答を送信するのに要する時間の間だけ非作動化される。通常の動作において、通信モードは、命令部３０４に終了命令を含むさらなるデータフレーム３００によって終了される。
【００５２】
ステップ２１４において通信モードから省電力モードに再び切り替え際に、スニフ間隔は３００msとなるように調節されて、制御器２、２’によるさらなる通信の試みの場合の遅延時間を減少させる。同じことは、スレーブ装置３、４が命令部３０４に通信開始命令を含むデータフレーム３００を受信し、かつステップ２０６においてアドレス部３０３に収められているアドレスがそのスレーブ装置自身のアドレスでないと決定したときに、ステップ２１６において行われる。
【００５３】
いずれにしても、通信開始データフレームでないか（ステップ２０５）、または異なった装置にアドレス指定された通信開始データフレームである（ステップ２０６）データフレーム３００の受信の後で、受信器１９はステップ２１７において残りのスニフ間隔の間非作動化される。その後、スニフ間隔が現在３００msであるかどうか、また、スニフ間隔が最後に３００msに設定されてから所定の、例えば１５sの省電力タイムアウト期間が経過したかどうか、ステップ２１８において決定される。このタイムアウト期間が終わる前は、スニフ間隔は不変のままとされる。タイムアウト期間が経過していれば、スニフ間隔はステップ２１９において通常の値の３sに変更される。このようにして、制御器２、２’が１つのスレーブ装置３、４と通信を開始するとすぐに、遅延時間はこれらすべての装置３、４について減少され、これによって空気インターフェース上のトラフィック分布が高度に不均一な血中グルコースシステム１、１’における通信の効率を高めることとなる。
【００５４】
このように動作するスレーブ装置３、４により、制御器２、２’と１つの装置３、４との間の通信が望まれる場合には、データフレーム３００はステップ１００（図３a）で制御器２、２’において作成される。データフレーム３００を送信する前に、対象装置のアドレスはあて先アドレス部３０３中に含められ（ステップ１０１）、通信開始命令の識別子は命令部３０４中に含められ（ステップ１０２）、プリアンブルバイトの数はプリアンブル期間が３２５msとなるように選択される（ステップ１０３）。次に、送信器９が作動化され、非作動化されて、このデータフレーム３００を送信し、その後、受信器１０が１００msの応答期間の間作動化されて対象スレーブ装置からの応答（例えば、受信の確認）を待つ。対象スレーブ装置３、４は、当該装置のスニフ間隔が現在３００msである場合にのみ確実にデータフレーム３００を受信することに注意すべきである。この場合、ステップ１０３で選択されたプリアンブル期間がスニフ間隔全体にまたがる。しかしながら、スレーブ装置３、４のスニフ間隔が現在３sであれば、スレーブ装置３、４はおそらく当該装置の１つのリスニング期間内にプリアンブル信号を検出することはできず、したがって応答を送らないであろう。ゆえに、スレーブ装置３、４が応答を送信していないことがステップ１０６において決定されれば、データフレーム３００のプリアンブル部３０１におけるプリアンブルバイトの数を増加して、プリアンブル期間を３０２５msに、すなわち３sのスニフ間隔全体にまたがる値に調節する。次に、データフレーム３００を再送信し（ステップ１０８）、受信器１０を１００msの間作動化させて応答を待つ。
【００５５】
応答を受信した後に、それぞれのスレーブ装置３、４は、確実に、当該装置の受信器１９が作動化された通信モードになるようにされる。この状況で、さらなるデータフレーム３００が作成され（ステップ１１０）、またステップ１１１において、スレーブ装置３、４のアドレスがアドレス部３０３に含められ、適切な命令が命令部３０４に含められ、随意的な追加のデータがデータ部３０５に含められる。制御電子回路１２は、クロック２３と組み合わされて、常に、現在のスレーブ装置に最後のデータフレームを送信した時からの時間を追跡し、またステップ１１２において、制御電子回路１２は、この時間を通信タイムアウト期間と比較して、スレーブ装置が依然として通信モードにあるかどうかを決定する。現在のスレーブ装置３、４が依然として通信モードにあると決定されれば、プリアンブル期間はステップ１１４において２５msに設定される。この最小のプリアンブル期間は、対象スレーブ装置が通信モードにあって当該装置の受信器１９が作動化されているので、十分である。しかしながら、スレーブ装置が依然として通信モードとなるように十分適時にさらなるデータフレームを送信することが必要である。すなわち、連続的なデータフレームの間の時間間隔は通信タイムアウト期間よりも小さくなければならない。さもなければ、上述の決定が否定的である場合は、制御器はステップ１００に戻ってスレーブ装置と別の通信サイクルを開始する（ステップ１１３）。次に、さらなるデータフレーム３００がステップ１１５において送信され、その後で受信器９が１００msの間作動化されて応答を待つ（ステップ１１６）。したがって、対象スレーブは１００ms内にデータフレームの受信を応答しなければならない。制御器２、２’がこの応答時間内に応答を受信しなければ（ステップ１１７）、制御器はステップ１１５に戻って、さらなるデータフレームを再送信する。さらなる命令を同じスレーブ装置に送信することが決定されれば（ステップ１１８）、別のさらなるデータフレーム３００がステップ１１０において作成される。さもなければ、ステップ１１９において、命令部３０４に終了命令を含むデータフレーム３００が作成され、スレーブ装置に送信されて、スレーブ装置の省電力モードへの切り替えを行う。
【００５６】
一定の場合には、さらなるデータフレームを制御器２、２’から受信したばかりのスレーブ装置３、４は、制御器２、２’の応答時間内に応答を送信することができないこともある。例えば、さらなるデータフレームが、スレーブ装置３、４にデータを収集しこれらのデータを制御器２、２’に供給するよう要求する命令を含む場合は、必要なデータが直ちに入手可能とは限らない。かかる状況において、スレーブ装置３、４は、ステップ２０９において応答の送信を遅らせ、代りに図５aのステップを実行する可能性を有する。したがって、ステップ５００において、制御器２、２’によって要求されたデータが現在入手可能か、制御電子回路２１によって決定される。決定が肯定的であれば、本方法はステップ２０９に進む（ステップ５０１）。さもなければ、遅延期間指示を含むデータフレームが送信され（ステップ５０２）、スレーブ装置３、４の受信器１８と送信器１９は、対応する遅延期間の間非作動化され（ステップ５０３）、エネルギーを節約する。遅延期間が経過した後（クロック２４と組み合わされた制御電子回路２１により決定される）、受信器１８は、ステップ５０４において、遅延した応答を送信するようにとの要求を含むさらなるデータフレームがステップ５０５において受信されるまで、作動化される。次に、受信器はステップ５０６において非作動化され、本方法はステップ２０９に進んで（ステップ５０７）、当初のさらなるデータフレームに対する応答を最後に送信する。
【００５７】
この遅延機構が適正に機能するためには、制御器２、２’は応答が受信されたかステップ１１７において決定するのみでなく、制御電子回路１２が受信した応答をさらに検査し、応答が遅延時間指示（それは、例えば、適切な命令と遅延期間を明示する追加のデータにより表されることができるであろう）を含むかどうかを決定する。何らの遅延時間指示も見出されなければ、本方法はステップ１１８に進む（ステップ５１１）。他方、遅延時間指示が見出されれば、制御電子回路１２は、対応する遅延期間の間受信器１０と送信器９を非作動化することを行い（ステップ５１２）、エネルギーを節約する。遅延期間が経過した後（クロック２３と組み合わされた制御電子回路１２により決定される）、制御電子回路１２は、さらなるデータフレームを作成し（ステップ５１３）、対象装置指示を含め（ステップ５１４）、対象スレーブ装置に以前の特定のデータフレームに対する応答を送信するように要求する要求命令および追加のデータを含める（ステップ５１５）。次に、プリアンブル期間をステップ５１６において２５msに設定し（２５msは、対象スレーブ装置が遅延期間が経過した後に当該装置の受信器を作動化しているので十分である）、要求データフレームがステップ５１７において送信される。最後に、本方法はステップ１１６に進み（ステップ５１８）、要求した応答を待つ。
〔実施の態様〕
【００５８】
（１）  血中グルコースシステム（１、１’）の構成要素間の無線データ送信のための方法であって、前記血中グルコースシステム（１、１’）は、受信器（１０）および送信器（９）を有するマスター制御器（２、２’）と、インスリン投与手段（２０）を備えかつ受信器（１９）および送信器（１８）を有するスレーブ装置（３）と、を含む、方法において、
前記スレーブ装置（３）を省電力モードで動作させるステップであって、この省電力モードでは、通常、前記スレーブ装置の受信器（１９）が受信器作動化頻度で間欠的に作動化され、このとき、前記受信器（１９）が毎回所定のリスニング期間の間作動化され、前記受信器（１９）が残りの時間の間非作動化される、ステップと、
前記制御器（２、２’）の前記送信器（９）を送信期間の間作動化させて、プリアンブル信号がプリアンブル期間の間送信されるように選択されたプリアンブル部（３０１）を含む通信開始データフレームを送信し、その後、前記制御器（２、２’）の前記受信器（１０）を応答期間の間作動化させるステップと、
前記スレーブ装置（３）がリスニング期間中に前記プリアンブル信号を受信した場合には、
ａ）前記スレーブ装置（３）の前記受信器（１９）を、前記通信開始データフレームの残余の少なくとも一部が受信されるまで作動状態に維持するステップと、
ｂ）前記スレーブ装置（３）を、前記スレーブ装置（３）の前記送信器（１８）が作動化されて前記制御器（２、２’）に応答を送信する通信モードに切り替えるステップと、
ｃ）前記スレーブ装置（３）を、前記通信モードから前記省電力モードに切り替えるステップと、
を含み、
前記方法はさらに、
通信モードから省電力モードに切り替える際に、最初は前記受信器作動化頻度を第１の頻度値に設定し、所定の省電力タイムアウト期間の間何らの通信開始データフレームも受信されなければ、前記受信器作動化頻度を前記第１の頻度値よりも小さい第２の頻度値に設定するステップであって、
前記通信開始データフレームは、前記プリアンブル期間が前記第１の頻度値に対応するサイクル持続時間の長さを超えるように送信され、
前記応答期間中に前記制御器によって何らの応答も受信されない場合には、前記通信開始データフレームが、前記プリアンブル期間が増加され前記第２の頻度値に対応するサイクル持続時間の長さを超えるように適応され、再送信される、
ステップ、
を含む、方法。
（２）  実施態様１に記載の方法において、
前記血中グルコースシステム（１、１’）は、少なくとも１つのさらなるスレーブ装置（４）を含み、前記スレーブ装置の少なくとも１つは血中グルコース検出手段（２０）を備えており、
すべてのスレーブ装置（３、４）が、インスリン投与手段（２０）を備える前記スレーブ装置（３）と同じステップを実行し、
前記方法は、
各々の通信開始データフレームを特定のスレーブ装置（３、４）にアドレス指定するために、前記制御器（２、２’）によって送信される通信開始データフレームに対象スレーブ装置（３、４）の指示を含めるステップと、
スレーブ装置（３、４）がリスニング期間中に通信開始データフレームに対応する前記プリアンブル信号を受信した場合には、
ａ）前記スレーブ装置（３、４）の前記受信器（１９）を、少なくとも前記対象装置指示が受信されるまで作動状態に維持するステップと、
ｂ）前記スレーブ装置（３、４）が前記対象スレーブ装置であれば、前記スレーブ装置の前記受信器（１９）を前記通信開始データフレームの残余が受信されるまで作動状態に維持するか、または、前記スレーブ装置（３、４）が前記対象スレーブ装置でない場合には、前記スレーブ装置（３、４）を前記省電力モードに維持し、前記スレーブ装置（３、４）の前記作動化頻度を前記第２の頻度値よりも大きい第３の頻度値に設定し、その後、所定のタイムアウト期間の間何らの通信開始データフレームも受信されなければ、前記作動化頻度を前記第２の頻度値に設定するステップと、
をさらに含む、方法。
【００５９】
（３）  実施態様２に記載の方法において、
前記第３の頻度値は前記第１の頻度値と同一である、方法。
（４）  実施態様１〜３のいずれかに記載の方法において、
前記制御器（２、２’）は、通信開始データフレームのみを送信する、方法。
（５）  実施態様１〜３のいずれかに記載の方法において、
通信開始データフレームの送信の後で、前記制御器（２、２’）の前記送信器（９）を少なくとも１つのさらなる送信期間の間作動化させて、前記プリアンブル信号がプリアンブル期間の間送信されるように選択されたプリアンブル部（３０１）を含む少なくとも１つのさらなるデータフレームを送信し、また、各々の前記少なくとも１つのさらなるデータフレームの送信の後で、前記制御器（２、２’）の前記受信器（１０）を応答期間の間作動化させるステップであって、前記制御器によって送信されるすべてのデータフレーム（３００）が、命令が含まれる命令部（３０４）を含む、ステップと、
任意の通信開始データフレームの前記命令部（３０４）に通信開始命令を含めて、このデータフレーム（３００）が通信開始データフレームであることを指示するステップと、
スレーブ装置（３、４）が、前記スレーブ装置が前記省電力モードにある間のリスニング期間中に前記プリアンブル信号を受信した場合には、
ａ）前記スレーブ装置（３、４）の前記受信器（１９）を、少なくとも前記データフレーム（３００）の前記命令部（３０４）に含まれた前記命令が受信されるまで、作動状態に維持するステップと、
ｂ）前記命令が前記通信開始命令でなければ、前記スレーブ装置（３、４）を前記省電力モードに維持するステップと、
スレーブ装置（３、４）が、前記スレーブ装置が前記通信モードにある間に前記プリアンブル信号を受信した場合には、
ａ）前記スレーブ装置（３、４）の前記受信器（１９）を、少なくとも前記データフレーム（３００）の前記命令部（３０４）に含まれた前記命令が受信されるまで、作動状態に維持するステップと、
ｂ）前記命令が前記通信開始命令でなく、かつ前記スレーブ装置（３、４）が前記データフレーム（３００）の前記意図された受取り器であれば、前記スレーブ装置（３、４）の前記受信器（１９）を、前記データフレーム（３００）の残余が受信されるまで作動状態に維持し、前記スレーブ装置（３、４）の前記送信器（１８）を作動化および非作動化して、前記制御器（２、２’）に応答を送信するステップと、
をさらに含む、方法。
【００６０】
（６）  実施態様１〜５のいずれかに記載の方法において、
前記通信モードは、所定の通信タイムアウト期間の間それぞれのスレーブ装置（３、４）向けの何らのデータフレーム（３００）も受信されなければ、終了され、
通信モードにおいて、前記スレーブ装置の送信器（１８）が応答を送信するために作動化されていないときはいつも、それぞれの前記スレーブ装置（３、４）の前記受信器（１９）が作動状態に維持される、方法。
（７）  実施態様６に記載の方法において、
特定のスレーブ装置（３、４）に最後のデータフレーム（３００）を送信した時からの時間を前記制御器（２、２’）にて追跡するステップと、
同じスレーブ装置（３、４）にデータフレーム（３００）を送信する前に、追跡された時間と前記所定の通信タイムアウト期間との比較に基づいて、このスレーブ装置（３、４）が依然として通信モードにあると予想されるかどうかを前記制御器（２、２’）にて決定するステップと、
前記スレーブ装置（３、４）が依然として通信モードにあると予想されると決定されれば、前記プリアンブル期間が前記第１の頻度値および前記第２の頻度値に対応するサイクル持続時間よりも短い期間にまたがるように、前記データフレーム（３００）を最初に送信するステップと、
をさらに含む、方法。
（８）  実施態様６または７に記載の方法において、
特定の第１のデータフレームに対してスレーブ装置（３、４）によって送信される応答に遅延期間指示を含めて、実際の応答が後で送られることを指示するステップと、
前記スレーブ装置（３、４）および前記制御器（２、２’）の両方の前記送信器（１８、９）および前記受信器（１９、１０）を前記指示された遅延期間の間非作動化させるステップと、
前記遅延期間が終わった後に前記制御器（２、２’）の前記送信器（９）を作動化させて、前記第１のデータフレームに対する前記応答を要求する第２のデータフレームを送信するステップと、
前記遅延期間が終わった後に前記スレーブ装置（３、４）の前記受信器（１９）を作動化させて、前記第２のデータフレームの受信を待つステップと、
その後、前記スレーブ装置（３、４）の前記送信器（１８）を作動化させて、前記制御器（２、２’）に前記要求された応答を送信するステップと、
をさらに含む、方法。
【００６１】
（９）  実施態様１〜８のいずれかに記載の方法において、
終了命令を含むデータフレームが、前記制御器（２、２’）によって通信モードにあるスレーブ装置（３、４）に送信され、前記スレーブ装置（３、４）の前記通信モードが、このデータフレームを受信すると終了される、方法。
（１０）  実施態様１〜９のいずれかに記載の方法において、
前記制御器（２、２’）による少なくとも１つの通信開始データフレームの前記送信は、ユーザの要求によって開始される、方法。
（１１）  実施態様１〜１０のいずれかに記載の方法において、
前記制御器（２、２’）において周期的にタイマーイベントを発生させるステップと、
タイマーイベントの発生のたびに前記制御器（２、２’）によって通信開始データフレームを送信するステップと、
をさらに含む、方法。
（１２）  実施態様１１に記載の方法において、
前記第２の頻度値を有するように、または前記第２の頻度値が前記タイマーイベント頻度の整数倍となるように、前記タイマーイベントが発生する頻度を選択するステップと、
タイマーイベントによって開始される各々の通信開始データフレームに時間リファレンスを含めるステップと、
スレーブ装置（３、４）にて受信すると前記時間リファレンスを検査するステップと、
前記時間リファレンスによって、前記リスニング期間のスタート時間を前記タイマーイベントと同期させるステップと、
をさらに含む、方法。
【００６２】
（１３）  血中グルコースシステム（１、１’）において、
受信器（１０）、送信器（９）、および制御手段（１２）を有するマスター制御器（２、２’）であって、前記制御手段（１２）は、プリアンブル信号がプリアンブル期間の間送信されるようにプリアンブル部（３０１）を含む通信開始データフレームを送信するために、前記送信器（９）を送信期間の間作動化させて、その後、前記受信器（１０）を応答期間の間作動化させるように、動作可能である、マスター制御器（２、２’）と、
インスリン投与手段（２０）を備え、かつ受信器（１９）、送信器（１８）、および制御手段（２１）を有するスレーブ装置（３）であって、前記スレーブ装置（３）は、インスリンが前記スレーブ装置（３）から患者の身体に送出されることができるように患者の身体に着用され、または患者の身体の皮下に埋め込まれるように構成されている、スレーブ装置（３）と、
を備えており、  前記スレーブ装置（３）の前記制御手段（２１）は、通常、前記制御手段（２１）が前記受信器（１９）を受信器作動化頻度で間欠的に作動化させ、このとき、前記受信器（１９）が毎回所定のリスニング期間の間作動化され、前記受信器（１９）が残りの時間の間非作動化されるようになる、省電力モードにおいて、前記スレーブ装置（３）を動作させるように構成されており、
前記スレーブ装置（３）の前記制御手段（２１）は、さらに、前記スレーブ装置（３）の前記受信器（１９）がリスニング期間中に前記プリアンブル信号を受信したかどうかを決定して、前記プリアンブル信号を受信した場合には、
ａ）前記スレーブ装置（３）の前記受信器（１９）を、前記通信開始データフレームの残余の少なくとも一部が受信されるまで作動状態に維持し、
ｂ）前記スレーブ装置（３）を、前記制御手段（２１）が前記スレーブ装置（３）の前記送信器（１８）を作動化させて前記制御器（２、２’）に応答を送信する通信モードに切り替え、
ｃ）その後、前記スレーブ装置（３）を前記通信モードから前記省電力モードに切り替える
ように構成されており、
前記スレーブ装置（３）の前記制御手段（２１）は、前記スレーブ装置（３）を通信モードから省電力モードに切り替える際に、最初は前記作動化頻度を第１の頻度値に設定し、前記受信器（１９）が所定の省電力タイムアウト期間の間通信開始データフレームを受信しなければ、前記作動化頻度を前記第１の頻度値よりも小さい第２の頻度値に設定するように構成されており、
前記制御器（２、２’）の前記制御手段（１２）は、前記通信開始データフレームの送信を、前記プリアンブル期間が前記第１の頻度値に対応するサイクル持続時間の長さを超えるように行い、前記応答期間中に何らの応答も受信されない場合には、前記通信開始データフレームを、前記プリアンブル期間が増加され前記第２の頻度値に対応するサイクル持続時間の長さを超えるように適応させ、再送信するように構成されていることを特徴とする、システム。
（１４）  実施態様１３に記載のシステムにおいて、
前記血中グルコースシステム（１、１’）は少なくとも１つのさらなるスレーブ装置（４）を含み、前記スレーブ装置の少なくとも１つは血中グルコース検出手段（２０）を備えており、
すべてのスレーブ装置（３、４）は、インスリン投与手段（２０）を備える前記スレーブ装置（３）の前記受信器（１９）、前記送信器（１８）、および前記制御手段（２１）とそれぞれ同様に構成された、受信器（１９）、送信器（１８）、および制御手段（２１）を備えており、
前記制御器（２、２’）の前記制御手段（１２）は、さらに、前記通信開始データフレームに対象スレーブ装置（３、４）の指示を含めるように構成され、
前記スレーブ装置の前記制御手段（２１）は、前記制御手段（２１）が、前記スレーブ装置（３、４）がリスニング期間中に前記プリアンブル信号を受信したと決定する場合には、さらに、
ａ）前記スレーブ装置（３、４）の前記受信器（１９）を、少なくとも前記受信器（１９）が前記対象装置指示を受信するまで作動状態に維持し、
ｂ）前記スレーブ装置（３、４）の前記受信器（１９）を、前記スレーブ装置（３、４）が前記対象スレーブ装置であれば、前記通信開始データフレームの残余が受信されるまで作動状態に維持するか、または、前記スレーブ装置（３、４）が前記対象スレーブ装置でない場合には、前記スレーブ装置（３、４）を前記省電力モードに維持し、前記スレーブ装置（３、４）の前記受信器作動化頻度を前記第２の頻度値よりも大きい第３の頻度値に設定し、その後、前記受信器（１９）が所定のタイムアウト期間の間通信開始データフレームを受信しなければ、前記受信器作動化頻度を前記第２の頻度値に設定する
ように構成されている、システム。
【００６３】
（１５）  実施態様１３または１４に記載のシステムにおいて、
前記制御器（２、２’）の前記制御手段（１２）は、さらに、通信開始データフレームの送信の後で、前記制御器（２、２’）の前記送信器（９）を少なくとも１つのさらなる送信期間の間作動化させて、前記プリアンブル信号がプリアンブル期間の間送信されるようにプリアンブル部（３０１）を含む少なくとも１つのさらなるデータフレームを送信させ、また、各々の前記少なくとも１つのさらなるデータフレームの送信の後で、前記制御器（２、２’）の前記受信器（１０）を応答期間の間作動化させるように動作可能であり、前記制御器（２、２’）によって送信されるすべてのデータフレーム（３００）が、命令が含まれる命令部（３０４）を含み、
前記制御器（２、２’）の前記制御手段（１２）は、さらに、任意の通信開始データフレームの前記命令部（３０４）に通信開始命令を含めて、このデータフレーム（３００）が通信開始データフレームであることを指示するように構成されており、
前記スレーブ装置（３、４）の前記制御手段（２１）は、さらに、前記スレーブ装置（３、４）の前記受信器（１９）が、前記スレーブ装置が前記省電力モードにある間のリスニング期間中に前記プリアンブル信号を受信したかどうかを決定し、この決定が肯定的である場合には、
ａ）前記スレーブ装置（３、４）の前記受信器（１９）を、少なくとも前記データフレーム（３００）の前記命令部（３０４）に含まれた前記命令が受信されるまで作動状態に維持し、
ｂ）前記命令が前記通信開始命令でなければ、前記スレーブ装置（３、４）を前記省電力モードに維持する
ように構成されており、
前記スレーブ装置（３、４）の前記制御手段（２１）は、さらに、前記スレーブ装置（３、４）の前記受信器（１９）が、前記スレーブ装置が前記通信モードにある間に前記プリアンブル信号を受信したかどうかを決定し、この決定が肯定的である場合には、
ａ）前記スレーブ装置（３、４）の前記受信器（１９）を、少なくとも前記データフレーム（３００）の前記命令部（３０４）に含まれた前記命令が受信されるまで作動状態に維持し、
ｂ）前記命令が前記通信開始命令でなく、かつ前記スレーブ装置（３、４）が前記データフレーム（３００）の前記意図された受取り器であれば、前記スレーブ装置（３、４）の前記受信器（１９）を、前記データフレーム（３００）の残余が受信されるまで作動状態に維持し、前記スレーブ装置（３、４）の前記送信器（１８）を作動化および非作動化して、前記制御器（２、２’）に応答を送信する
ように構成されている、システム。
（１６）  実施態様１３〜１５のいずれかに記載のシステムにおいて、
各々のスレーブ装置（３、４）の前記制御手段（２１）は、
前記受信器（１９）がそれぞれのスレーブ装置（３、４）向けのデータフレーム（３００）を所定の通信タイムアウト期間の間受信しなければ前記通信モードを終了させ、
前記制御手段が応答を送信するために前記送信器（１８）を作動化させないときはいつも、それぞれのスレーブ装置（３、４）の前記受信器（１９）を通信モードに作動状態に維持する
ように構成されている、システム。
【００６４】
（１７）  実施態様１６に記載のシステムにおいて、
前記制御器（２、２’）はタイマー（２３）をさらに含んでおり、
前記制御器（２、２’）の前記制御手段（１２）は、
特定のスレーブ装置（３、４）にデータフレーム（３００）を送信すると、前記タイマー（２３）をスタートさせ、
同じ前記スレーブ装置（３、４）にデータフレーム（３００）を送信する前に、前記タイマー（２３）の現在値と前記所定の通信タイムアウト期間との比較に基づいて、前記スレーブ装置（３、４）が依然として通信モードにあると予想されるかどうかを決定し、
前記スレーブ装置（３、４）が依然として通信モードにあると予想されると前記制御手段が決定した場合には、前記プリアンブル期間が前記第１の頻度値および前記第２の頻度値に対応するサイクル持続時間よりも短い期間にまたがるように、前記データフレーム（３００）を最初に送信する
ように構成されている、システム。
（１８）  実施態様１６または１７に記載のシステムにおいて、
各々のスレーブ装置（３、４）の前記制御手段（２１）は、
特定の第１のデータフレームに対して前記スレーブ装置（３、４）によって送信される応答に遅延期間指示を含めて、実際の応答が後で送信されることを指示し、
前記送信器（１８）および前記受信器（１９）を前記指示された遅延期間の間非作動化し、
前記遅延期間が終わった後に前記スレーブ装置（３、４）の前記受信器（１９）を作動化させて、前記第１のデータフレームに対する応答を要求する第２のデータフレームの受信を待たせ、
その後、前記スレーブ装置（３、４）の前記送信器（１８）を作動化させて前記制御器（２、２’）に対して前記要求された応答を送信させる
ように構成されており、
前記制御器（２、２’）の前記制御手段（１２）は、
遅延期間指示を含む応答を受信すると、前記制御器（２、２’）の前記送信器（９）および前記受信器（１０）を前記指示された遅延期間の間非作動化させ、
前記遅延期間が終わった後に前記制御器（２、２’）の前記送信器（９）を作動化させて、前記第１のデータフレームに対する応答を要求する第２のデータフレームを送信させる
ように構成されている、システム。
（１９）  実施態様１３〜１８のいずれかに記載のシステムにおいて、
前記制御器（２、２’）の前記制御手段（１２）は、通信モードにあるスレーブ装置（３、４）に終了命令を含むデータフレームを送信するように動作可能であり、
各々のスレーブ装置（３、４）の前記制御手段（２１）は、このデータフレームを受信すると前記通信モードを終了させるように構成されている、システム。
【００６５】
（２０）  実施態様１３〜１９のいずれかに記載のシステムにおいて、
前記制御器（２、２’）は、ユーザによって作動される作動手段を備えており、前記作動手段の作動により、前記制御手段（１２）に通信開始データフレームを送信するように命じる信号が前記制御手段（１２）に供給される、システム。
（２１）  実施態様１３〜２０のいずれかに記載のシステムにおいて、
前記制御器（２、２’）は、
タイマーイベント発生器であって、周期的にタイマーイベントを発生し、対応するタイマーイベント信号を前記制御器（２、２’）の前記制御手段（１２）に供給するように動作可能である、タイマーイベント発生器、
をさらに備え、
前記制御器（２、２’）の前記制御手段（１２）は、そのようなタイマーイベント信号を受信すると通信開始データフレームを送信するように構成されている、システム。
（２２）  実施態様２１に記載のシステムにおいて、
前記タイマーイベント発生器が前記タイマーイベントを発生する頻度は、前記第２の頻度値を有するか、または前記第２の頻度値がタイマーイベント頻度の整数倍となるものであり、
前記制御器（２、２’）は、クロック（２３）を備え、前記制御器（２、２’）の前記制御手段（１２）は、タイマーイベント信号の受信によって開始される各々のデータフレーム（３００）に、前記クロック（２３）から得られる時間リファレンスを含めるように構成され、
前記スレーブ装置（３、４）の前記制御手段（２１）は、スレーブ装置（３、４）にて受信すると前記時間リファレンスを検査し、前記時間リファレンスによって、前記リスニング期間のスタート時間を前記タイマーイベントと同期させるように構成されている、システム。
（２３）  実施態様１３〜２２のいずれかに記載のシステムにおいて、
前記制御器（２’）は血中グルコース検出手段（２０）を含む、システム。
【図面の簡単な説明】
【００６６】
【図１ａ】本発明による血中グルコースシステムの略図である。
【図１ｂ】本発明によるさらなる血中グルコースシステムの略図である。
【図２ａ】本発明による血中グルコースシステムの一部を形成する制御器の主要な構成要素の略ブロック図である。
【図２ｂ】本発明による血中グルコースシステムの一部を形成するスレーブ装置の主要な構成要素の略ブロック図である。
【図３ａ】本発明による制御器側の好ましい実施の形態の方法を示す略フローチャート図である。
【図３ｂ】本発明によるスレーブ側の好ましい実施の形態の方法を示す略フローチャート図である。
【図４】データフレームの略図である。
【図５ａ】スレーブ側の遅延応答機構を示す略フローチャート図である。
【図５ｂ】制御器側の遅延応答機構を示す略フローチャート図である。
【図１ａ】
2009534059.tif 000003
【図１ｂ】
2009534059.tif 000004
【図２ａ】
2009534059.tif 000005
【図２ｂ】
2009534059.tif 000006
【図３ａ】
2009534059.tif 000007
【図３ｂ】
2009534059.tif 000008
【図４】
2009534059.tif 000009
【図５ａ】
2009534059.tif 000010
【図５ｂ】
2009534059.tif 000011
【国際調査報告】
2009534059.tif 000012
2009534059.tif 000013
2009534059.tif 000014